(57)【要約】  本開示のいくつかの態様は、一般に、非アンカー物理リソースブロック(PRB)内の狭帯域基準信号(NRS)の存在を決定するための技法に関する。ユーザ機器(UE)によって実行され得る例示的な方法は、ページング機会(PO)、RAR送信、またはSC-PTM送信が発生することになるかまたは発生したと判断するステップと、判断、1つまたは複数の狭帯域送信パラメータ、あるいはPO、RAR送信、またはSC-PTM送信と同じRB内の1つまたは複数の他の送信の存在のうちの少なくとも1つに基づいて、非アンカーリソースブロック(RB)内の狭帯域基準信号(NRS)の発生を決定するステップと、NRSを処理するステップとを含む。他の態様、実施形態、および特徴も特許請求され、説明される。
2019537354.tif 000002
【特許請求の範囲】
【請求項１】
ユーザ機器(UE)によるワイヤレス通信のための方法であって、
ページング機会(PO)、ランダムアクセス応答(RAR)送信、またはシングルセルポイントツーマルチポイント(SC-PTM)送信のための開始サブフレームが発生することになるかまたは発生したと判断するステップと、
前記判断、
1つまたは複数の狭帯域送信パラメータ、あるいは
前記PO、前記RAR送信、または前記SC-PTM送信と同じRB内の1つまたは複数の他の送信の存在
のうちの少なくとも1つに基づいて、非アンカーリソースブロック(RB)内の狭帯域基準信号(NRS)の発生を決定するステップと、
前記NRSを処理するステップと
備える方法。
【請求項２】
前記狭帯域送信パラメータが、前記PO、前記RAR送信、または前記SC-PTM送信の前にNRSを送信するための、サブフレームの最小数Mを備え、前記方法が、
前記PO、前記RAR送信、または前記SC-PTM送信の前に、少なくともM個のサブフレームにおいて前記NRSを処理するステップ
をさらに備える、請求項1に記載の方法。
【請求項３】
前記他の送信が、狭帯域物理ダウンリンク制御チャネル(NPDCCH)を備え、前記方法が、
前記NRSが前記非アンカーRB内に存在しないと判断するステップと、
前記NRSが前記非アンカーRB内に存在しないとの前記判断に基づいて、前記NPDCCHが前記PO、前記RAR送信、または前記SC-PTM送信の後の1つまたは複数のサブフレーム内に存在しないと決定するステップと
をさらに備える、請求項1に記載の方法。
【請求項４】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記方法が、
前記PO、前記RAR送信、または前記SC-PTM送信の後に、少なくともN個のサブフレームを加えた前記長さにおいて前記NRSを処理するステップ
をさらに備える、請求項1に記載の方法。
【請求項５】
前記他の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
前記PO、前記RAR送信、または前記SC-PTM送信の後に、前記非アンカーRBが、ある数のサブフレームにおいて発生し、前記数が、
前記NPDCCHの持続時間、
前記スケジューリングギャップの前記持続時間、
前記NPDSCHの持続時間、および
X
の合計よりも少ないかまたはそれに等しく、
前記方法が、
前記NPDCCHの前記持続時間、前記スケジューリングギャップの前記持続時間、前記NPDSCHの前記持続時間、およびXを決定するステップと、
前記NPDSCHの末尾の後に、前記NPDCCHの前記持続時間、前記スケジューリングギャップの前記持続時間、前記NPDSCHの前記持続時間、およびX個のサブフレームを備える期間の間に前記NRSを処理するステップと
をさらに備える、請求項1に記載の方法。
【請求項６】
前記NPDCCHが、前記NPDSCHのための送信リソースの割振りを示し、前記NPDSCHが、ランダムアクセス応答(RAR)メッセージを備え、前記方法が、
前記NPDCCHを受信するステップと、
前記割振りされた送信リソースを介して前記NPDSCHを受信するステップと、
前記NPDSCHから前記RARメッセージを取得するステップと
をさらに備える、請求項5に記載の方法。
【請求項７】
基地局(BS)によるワイヤレス通信のための方法であって、
ユーザ機器(UE)への1つまたは複数の送信をスケジュールするかどうかを決定するステップと、
ページング機会(PO)、ランダムアクセス応答(RAR)送信、またはシングルセルポイントツーマルチポイント(SC-PTM)送信のための開始サブフレームが発生することになるかまたは発生したと判断するステップと、
前記判断、
1つまたは複数の狭帯域送信パラメータ、あるいは
前記UEへの前記1つまたは複数の送信をスケジュールするかどうかの前記決定
のうちの少なくとも1つに基づいて、非アンカーリソースブロック(RB)内の狭帯域基準信号(NRS)を送信すると決定するステップと、
前記非アンカーRB内の前記NRSを送信するステップと
を備える方法。
【請求項８】
前記狭帯域送信パラメータが、前記PO、前記RAR送信、または前記SC-PTM送信の前にNRSを送信するための、サブフレームの最小数Mを備え、前記方法が、
前記PO、前記RAR送信、または前記SC-PTM送信の前に、M個のサブフレームにおいてNRSを送信するステップ
をさらに備える、請求項7に記載の方法。
【請求項９】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記方法が、
前記PO、前記RAR送信、または前記SC-PTM送信の後に、N個のサブフレームを加えた前記長さにおいてNRSを送信するステップ
をさらに備える、請求項7に記載の方法。
【請求項１０】
前記他の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
前記方法が、
前記PO、前記RAR送信、または前記SC-PTM送信の後に、ある数のサブフレームにおいてNRSを送信するステップであって、前記数が、
前記NPDCCHの持続時間、
前記スケジューリングギャップの前記持続時間、
前記NPDSCHの持続時間、および
X
の合計よりも大きいかまたはそれに等しい、ステップ
をさらに備える、請求項7に記載の方法。
【請求項１１】
前記NPDCCHが、前記NPDSCHのための送信リソースの割振りを示し、前記方法が、
前記NPDCCHを送信するステップと、
前記NPDSCHの一部分を生成するためにランダムアクセス応答(RAR)メッセージを符号化するステップと、
前記割振りされた送信リソースを介して前記NPDSCHを送信するステップと
をさらに備える、請求項10に記載の方法。
【請求項１２】
前記UEへの前記1つまたは複数の送信が、狭帯域物理ダウンリンク制御チャネル(NPDCCH)を備え、前記方法が、
前記PO、前記RAR送信、または前記SC-PTM送信の後に、1つまたは複数のサブフレームにおいて前記NPDCCHを送信するステップと、
前記NPDCCHを送信するために使用される前記1つまたは複数のサブフレームの各々においてNRSを送信するステップと
をさらに備える、請求項7に記載の方法。
【請求項１３】
前記NPDCCHが、狭帯域物理ダウンリンク共有チャネル(NPDSCH)のための送信リソースの割振りを示し、前記方法が、
前記NPDCCHの後に、1つまたは複数のサブフレームにおいて前記割振りされた送信リソースを介して前記NPDSCHを送信するステップと、
前記NPDCCHを送信することと前記NPDSCHを送信することとの間の1つまたは複数のサブフレームの各々においてNRSを送信するステップと、
前記NPDSCHを送信するために使用される前記1つまたは複数のサブフレームの各々においてNRSを送信するステップと
をさらに備える、請求項12に記載の方法。
【請求項１４】
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定するステップと、
前記PO、前記RAR送信、または前記SC-PTM送信の後に、ある数のサブフレームにおいてNRSを送信するステップであって、前記数が前記第2の合計に等しい、ステップと
をさらに備える、請求項13に記載の方法。
【請求項１５】
ワイヤレス通信のための装置であって、
プロセッサであって、
ページング機会(PO)、ランダムアクセス応答(RAR)送信、またはシングルセルポイントツーマルチポイント(SC-PTM)送信のための開始サブフレームが発生することになるかまたは発生したと判断し、
前記判断、
1つまたは複数の狭帯域送信パラメータ、あるいは
前記PO、前記RAR送信、または前記SC-PTM送信と同じRB内の1つまたは複数の他の送信の存在
のうちの少なくとも1つに基づいて、非アンカーリソースブロック(RB)内の狭帯域基準信号(NRS)の発生を決定し、
前記NRSを処理する
ように構成されたプロセッサと、
前記プロセッサと結合されたメモリと
を備える装置。
【請求項１６】
前記狭帯域送信パラメータが、前記PO、前記RAR送信、または前記SC-PTM送信の前にNRSを送信するための、サブフレームの最小数Mを備え、前記プロセッサが、
前記PO、前記RAR送信、または前記SC-PTM送信の前に、少なくともM個のサブフレームにおいて前記NRSを処理する
ようにさらに構成される、請求項15に記載の装置。
【請求項１７】
前記他の送信が、狭帯域物理ダウンリンク制御チャネル(NPDCCH)を備え、前記プロセッサが、
前記NRSが前記非アンカーRB内に存在しないと判断し、
前記NRSが前記非アンカーRB内に存在しないとの前記判断に基づいて、前記NPDCCHが前記PO、前記RAR送信、または前記SC-PTM送信の後の1つまたは複数のサブフレーム内に存在しないと決定する
ようにさらに構成される、請求項15に記載の装置。
【請求項１８】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記プロセッサが、
前記PO、前記RAR送信、または前記SC-PTM送信の後に、少なくともN個のサブフレームを加えた前記長さにおいて前記NRSを処理する
ようにさらに構成される、請求項15に記載の装置。
【請求項１９】
前記他の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
前記PO、前記RAR送信、または前記SC-PTM送信の後に、前記非アンカーRBが、ある数のサブフレームにおいて発生し、前記数が、
前記NPDCCHの持続時間、
前記スケジューリングギャップの前記持続時間、
前記NPDSCHの持続時間、および
X
の合計よりも少ないかまたはそれに等しく、
前記プロセッサが、
前記NPDCCHの前記持続時間、前記スケジューリングギャップの前記持続時間、前記NPDSCHの前記持続時間、およびXを決定し、
前記NPDSCHの末尾の後に、前記NPDCCHの前記持続時間、前記スケジューリングギャップの前記持続時間、前記NPDSCHの前記持続時間、およびX個のサブフレームを備える期間の間に前記NRSを処理する
ようにさらに構成される、請求項15に記載の装置。
【請求項２０】
前記NPDCCHが、前記NPDSCHのための送信リソースの割振りを示し、前記NPDSCHが、ランダムアクセス応答(RAR)メッセージを備え、前記プロセッサが、
前記NPDCCHを受信し、
前記割振りされた送信リソースを介して前記NPDSCHを受信し、
前記NPDSCHから前記RARメッセージを取得する
ようにさらに構成される、請求項19に記載の装置。
【請求項２１】
ワイヤレス通信のための装置であって、
プロセッサであって、
ユーザ機器(UE)への1つまたは複数の送信をスケジュールするかどうかを決定し、
ページング機会(PO)、ランダムアクセス応答(RAR)送信、またはシングルセルポイントツーマルチポイント(SC-PTM)送信のための開始サブフレームが発生することになるかまたは発生したと判断し、
前記判断、
1つまたは複数の狭帯域送信パラメータ、あるいは
前記UEへの前記1つまたは複数の送信をスケジュールするかどうかの前記決定
のうちの少なくとも1つに基づいて、非アンカーリソースブロック(RB)内の狭帯域基準信号(NRS)を送信すると決定し、
前記非アンカーRB内の前記NRSを送信する
ように構成されたプロセッサと、
前記プロセッサと結合されたメモリと
を備える装置。
【請求項２２】
前記狭帯域送信パラメータが、前記PO、前記RAR送信、または前記SC-PTM送信の前にNRSを送信するための、サブフレームの最小数Mを備え、前記プロセッサが、
前記PO、前記RAR送信、または前記SC-PTM送信の前に、M個のサブフレームにおいてNRSを送信する
ようにさらに構成される、請求項21に記載の装置。
【請求項２３】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記プロセッサが、
前記PO、前記RAR送信、または前記SC-PTM送信の後に、N個のサブフレームを加えた前記長さにおいてNRSを送信する
ようにさらに構成される、請求項21に記載の装置。
【請求項２４】
前記他の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの長さおよびサブフレームの最小数Xを備え、
前記プロセッサが、
前記PO、前記RAR送信、または前記SC-PTM送信の後に、ある数のサブフレームにおいてNRSを送信することであって、前記数が、
前記NPDCCHの長さ、
前記スケジューリングギャップの前記長さ、
前記NPDSCHの長さ、および
X
の合計よりも大きいかまたはそれに等しい、送信することを行うようにさらに構成される、請求項21に記載の装置。
【請求項２５】
前記NPDCCHが、前記NPDSCHのための送信リソースの割振りを示し、前記プロセッサが、
前記NPDCCHを送信し、
前記NPDSCHの一部分を生成するためにランダムアクセス応答(RAR)メッセージを符号化し、
前記割振りされた送信リソースを介して前記NPDSCHを送信する
ようにさらに構成される、請求項24に記載の装置。
【請求項２６】
前記UEへの前記1つまたは複数の送信が、狭帯域物理ダウンリンク制御チャネル(NPDCCH)を備え、前記プロセッサが、
前記PO、前記RAR送信、または前記SC-PTM送信の後に、1つまたは複数のサブフレームにおいて前記NPDCCHを送信し、
前記NPDCCHを送信するために使用される前記1つまたは複数のサブフレームの各々においてNRSを送信する
ようにさらに構成される、請求項21に記載の装置。
【請求項２７】
前記NPDCCHが、狭帯域物理ダウンリンク共有チャネル(NPDSCH)のための送信リソースの割振りを示し、前記プロセッサが、
前記NPDCCHの後に、1つまたは複数のサブフレームにおいて前記割振りされた送信リソースを介して前記NPDSCHを送信し、
前記NPDCCHを送信することと前記NPDSCHを送信することとの間の1つまたは複数のサブフレームの各々においてNRSを送信し、
前記NPDSCHを送信するために使用される前記1つまたは複数のサブフレームの各々においてNRSを送信する
ようにさらに構成される、請求項26に記載の装置。
【請求項２８】
前記プロセッサが、
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定することと、
前記PO、前記RAR送信、または前記SC-PTM送信の後に、ある数のサブフレームにおいてNRSを送信することであって、前記数が前記第2の合計に等しい、送信することと
を行うようにさらに構成される、請求項27に記載の装置。
【発明の詳細な説明】
【技術分野】
【０００１】
関連出願の相互参照
本出願は、本出願の譲受人に譲渡され、すべての適用可能な目的のためにその全体が参照により本明細書に明確に組み込まれる、2016年11月3日に出願された米国仮出願第62/417,264号の優先権および利益を主張する、2017年11月2日に出願された米国出願第15/802,297号の優先権を主張する。
【０００２】
本開示のいくつかの態様は、一般にワイヤレス通信に関し、より詳細には、非アンカー物理リソースブロック(PRB)内の狭帯域基準信号(NRS)の存在を決定するための技法に関する。実施形態は、NRSの存在に対するネットワーク柔軟性を得るための回路、デバイス、システム、および方法を可能にし、提供する一方で、同時に、通信デバイス(たとえば、UE)がモビリティシナリオの改善および電力リソースの効率的な使用をもたらす時間/周波数追跡を実行することを可能にする。
【背景技術】
【０００３】
一般に、ワイヤレス多元接続通信システムは、複数のワイヤレス端末のための通信を同時にサポートすることができる。各端末は、順方向リンクおよび逆方向リンク上の送信を介して1つまたは複数の基地局と通信する。順方向リンク(またはダウンリンク)は、基地局から端末への通信リンクを指し、逆方向リンク(またはアップリンク)は、端末から基地局への通信リンクを指す。この通信リンクは、単入力単出力、多入力単出力または多入力多出力(MIMO)システムを介して確立され得る。
【０００４】
ワイヤレス通信ネットワークは、いくつかのワイヤレスデバイスのための通信をサポートすることができるいくつかの基地局を含み得る。ワイヤレスデバイスは、ユーザ機器(UE)を含み得る。いくつかのUEは、マシンタイプ通信(MTC)UEと見なされる場合があり、MTC UEは、基地局、別のリモートデバイス、または何らかの他のエンティティと通信し得るリモートデバイスを含み得る。マシンタイプ通信(MTC)は、通信の少なくとも一端上の少なくとも1つのリモートデバイスを伴う通信を指す場合があり、必ずしも人間の対話を必要とするとは限らない1つまたは複数のエンティティを伴うデータ通信の形態を含み得る。MTC UEは、たとえば、パブリックランドモバイルネットワーク(PLMN)を介したMTCサーバおよび/または他のMTCデバイスとのMTC通信が可能なUEを含み得る。
【０００５】
場合によっては、MTCおよび他のタイプのデバイスなどのデバイスは、より広いシステム帯域幅の狭帯域(NB)領域を使用して通信し得る。狭帯域領域を利用することは、ネットワーク内のデバイスの位置(および/または移動)を追跡するために測位基準信号が使用される測位手順などの様々な手順についての課題を提示し得る。
【先行技術文献】
【非特許文献】
【０００６】
【非特許文献１】3GPP TS 36.211「Evolved Universal Terrestrial Radio Access (E-UTRA); Physical Channels and Modulation」
【発明の概要】
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、特徴の簡単な概要についてここで説明する。この説明を考慮した後、また特に「発明を実施するための形態」と題するセクションを読んだ後、本開示の特徴が、ワイヤレス通信システム内の送信リソースを節約することと、改善されたユーザエクスペリエンスをもたらすこととを含む利点をどのように可能にし、提供するかが理解されよう。
【０００８】
本開示の態様は、ユーザ機器(UE)によって実行されるワイヤレス通信のための方法を提供する。方法は、一般に、ページング機会(PO)、ランダムアクセス応答(RAR)送信、またはシングルセルポイントツーマルチポイント(SC-PTM)送信が発生することになるかまたは発生したと判断するステップと、非アンカーリソースブロック(RB)内の狭帯域基準信号(NRS)の発生を決定するステップとを含む。いくつかのシナリオでは、非アンカーリソースブロックは、いくつかの信号(たとえば、NPSS、NSSS、および/またはNPBCH)を欠くことがある。方法実施形態は、POに関する判断、1つまたは複数の狭帯域送信パラメータ、あるいはPO、RAR送信、またはSC-PTM送信と同じRB内の1つまたは複数の他の送信の存在のうちの少なくとも1つに基づいて、決定を下すステップも含むことができる。方法実施形態は、NRSを処理する(たとえば、NRSに基づいて送信機および/または受信機の周波数調整を決定する、あるいはNRSに基づいて時間追跡調整を決定する)ステップも含むことができる。
【０００９】
本開示の態様は、基地局(BS)によって実行されるワイヤレス通信のための方法を提供する。方法は、一般に、ユーザ機器(UE)への1つまたは複数の送信をスケジュールするかどうかを決定するステップと、ページング機会(PO)、ランダムアクセス応答(RAR)送信、またはシングルセルポイントツーマルチポイント(SC-PTM)送信が発生することになるかまたは発生したと判断するステップと、判断、1つまたは複数の狭帯域送信パラメータ、あるいはUEへの1つまたは複数の送信をスケジュールするかどうかの決定のうちの少なくとも1つに基づいて、非アンカーリソースブロック(RB)内の狭帯域基準信号(NRS)を送信すると決定するステップと、非アンカーRB内のNRSを送信するステップとを含む。
【００１０】
本開示の態様は、ワイヤレス通信のための装置を提供する。装置は、一般に、プロセッサであって、ページング機会(PO)、ランダムアクセス応答(RAR)送信、またはシングルセルポイントツーマルチポイント(SC-PTM)送信が発生することになるかまたは発生したと判断し、判断、1つまたは複数の狭帯域送信パラメータ、あるいはPO、RAR送信、またはSC-PTM送信と同じRB内の1つまたは複数の他の送信の存在のうちの少なくとも1つに基づいて、非アンカーリソースブロック(RB)内の狭帯域基準信号(NRS)の発生を決定し、NRSを処理するように構成されたプロセッサと、プロセッサと結合されたメモリとを含む。
【００１１】
本開示の態様は、ワイヤレス通信のための装置を提供する。装置は、一般に、プロセッサであって、ユーザ機器(UE)への1つまたは複数の送信をスケジュールするかどうかを決定し、ページング機会(PO)、ランダムアクセス応答(RAR)送信、またはシングルセルポイントツーマルチポイント(SC-PTM)送信が発生することになるかまたは発生したと判断し、判断、1つまたは複数の狭帯域送信パラメータ、あるいはUEへの1つまたは複数の送信をスケジュールするかどうかの決定のうちの少なくとも1つに基づいて、非アンカーリソースブロック(RB)内の狭帯域基準信号(NRS)を送信すると決定し、非アンカーRB内のNRSを送信するように構成されたプロセッサと、プロセッサと結合されたメモリとを含む。
【００１２】
本開示の態様は、ワイヤレス通信のための装置を提供する。装置は、一般に、ページング機会(PO)、ランダムアクセス応答(RAR)送信、またはシングルセルポイントツーマルチポイント(SC-PTM)送信が発生することになるかまたは発生したと判断するための手段と、判断、1つまたは複数の狭帯域送信パラメータ、あるいはPO、RAR送信、またはSC-PTM送信と同じRB内の1つまたは複数の他の送信の存在のうちの少なくとも1つに基づいて、非アンカーリソースブロック(RB)内の狭帯域基準信号(NRS)の発生を決定するための手段と、NRSを処理するための手段とを含む。
【００１３】
本開示の態様は、ワイヤレス通信のための装置を提供する。装置は、一般に、ユーザ機器(UE)への1つまたは複数の送信をスケジュールするかどうかを決定するための手段と、ページング機会(PO)、ランダムアクセス応答(RAR)送信、またはシングルセルポイントツーマルチポイント(SC-PTM)送信が発生することになるかまたは発生したと判断するための手段と、判断、1つまたは複数の狭帯域送信パラメータ、あるいはUEへの1つまたは複数の送信をスケジュールするかどうかの決定のうちの少なくとも1つに基づいて、非アンカーリソースブロック(RB)内の狭帯域基準信号(NRS)を送信すると決定するための手段と、非アンカーRB内のNRSを送信するための手段とを含む。
【００１４】
本開示の態様は、ワイヤレス通信のための命令を備えるコンピュータ可読媒体を提供する。命令は、プロセッサによって実行されると、一般に、ページング機会(PO)、ランダムアクセス応答(RAR)送信、またはシングルセルポイントツーマルチポイント(SC-PTM)送信が発生することになるかまたは発生したと判断することと、判断、1つまたは複数の狭帯域送信パラメータ、あるいはPO、RAR送信、またはSC-PTM送信と同じRB内の1つまたは複数の他の送信の存在のうちの少なくとも1つに基づいて、非アンカーリソースブロック(RB)内の狭帯域基準信号(NRS)の発生を決定することと、NRSを処理することとを含む動作をプロセッサに実行させる。
【００１５】
本開示の態様は、ワイヤレス通信のための命令を備えるコンピュータ可読媒体を提供する。命令は、プロセッサによって実行されると、一般に、ユーザ機器(UE)への1つまたは複数の送信をスケジュールするかどうかを決定することと、ページング機会(PO)、ランダムアクセス応答(RAR)送信、またはシングルセルポイントツーマルチポイント(SC-PTM)送信が発生することになるかまたは発生したと判断することと、判断、1つまたは複数の狭帯域送信パラメータ、あるいはUEへの1つまたは複数の送信をスケジュールするかどうかの決定のうちの少なくとも1つに基づいて、非アンカーリソースブロック(RB)内の狭帯域基準信号(NRS)を送信すると決定することと、非アンカーRB内のNRSを送信することとを含む動作をプロセッサに実行させる。
【００１６】
添付の図とともに特定の例示的な実施形態の以下の説明を検討すれば、本技術の他の態様、特徴、および実施形態が当業者に明らかとなろう。以下で説明する本技術の特徴について、以下のいくつかの実施形態および図に関して説明する場合があるが、すべての実施形態は、説明する有利な特徴のうちの1つまたは複数を含むことができる。1つまたは複数の実施形態について、いくつかの有利な特徴を有するものとして説明する場合があるが、そのような特徴のうちの1つまたは複数はまた、説明する様々な実施形態に従って使用され得る。同様に、例示的な実施形態について、デバイス実施形態、システム実施形態、または方法実施形態として以下で説明する場合があるが、そのような例示的な実施形態は、様々な形状、サイズ、レイアウト、構成、回路、デバイス、システム、および方法において実装され得ることを理解されたい。
【００１７】
本開示の上述の特徴が詳細に理解され得るように、添付の図面にその一部が示される態様を参照することによって、上記で簡潔に要約した内容についてより具体的な説明を行う場合がある。しかしながら、この説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１８】
【図１】本開示のいくつかの態様による、例示的なワイヤレス通信ネットワークを概念的に示すブロック図である。
【図２】本開示のいくつかの態様による、ワイヤレス通信ネットワークにおいてユーザ機器(UE)と通信している発展型ノードB(eNB)の一例を概念的に示すブロック図である。
【図３】本開示のいくつかの態様による、ワイヤレス通信ネットワークにおいて使用するための特定の無線アクセス技術(RAT)の例示的なフレーム構造を概念的に示すブロック図である。
【図４】本開示のいくつかの態様による、ノーマルサイクリックプレフィックスを有するダウンリンクのための例示的なサブフレームフォーマットを示す図である。
【図５Ａ】本開示のいくつかの態様による、LTEなどの広帯域システム内でのMTC共存の一例を示す図である。
【図５Ｂ】本開示のいくつかの態様による、LTEなどの広帯域システム内でのMTC共存の一例を示す図である。
【図６】本開示のいくつかの態様による、UL狭帯域領域へのDL狭帯域領域の例示的なマッピングを示す図である。
【図７】本開示のいくつかの態様による、UEによって実行され得るワイヤレス通信のための例示的な動作を示す図である。
【図８】本開示のいくつかの態様による、BSによって実行され得るワイヤレス通信のための例示的な動作を示す図である。
【図９】本開示の態様による、例示的な送信タイムラインを示す図である。
【発明を実施するための形態】
【００１９】
本開示の態様は、非アンカー物理リソースブロック(PRB)内の狭帯域基準信号(NRS)の発生を決定するための技法および装置を提供する。非アンカーPRBは、それを介してUEが初期アクセスを実行しないPRBであり、一般的には、狭帯域1次同期信号(NPSS)、狭帯域2次同期信号(NSSS)、および狭帯域物理ブロードキャストチャネル(NPBCH)を含んでいない(たとえば、これらの信号は、非アンカーPRB内でBSによって送信されない)。説明するように、NRSは、非アンカーPRBにおいて動作するUEが使用するために、非アンカーPRB内で基地局によって送信され得る。同様に、UEは、非アンカーPRB内のNRSの発生を決定し、NRSを処理し得る。
【００２０】
本明細書で説明する技法は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどの様々なワイヤレス通信ネットワークに使用され得る。「ネットワーク」および「システム」という用語は、しばしば互換的に使用される。CDMAネットワークは、ユニバーサル地上波無線アクセス(UTRA)、cdma2000などの無線技術を実装し得る。UTRAは、広帯域CDMA(W-CDMA)、時分割同期CDMA(TD-SCDMA)、およびCDMAの他の変形態を含む。cdma2000は、IS-2000規格、IS-95規格、およびIS-856規格をカバーする。TDMAネットワークは、モバイル通信用グローバルシステム(GSM(登録商標))などの無線技術を実装し得る。OFDMAネットワークは、発展型UTRA(E-UTRA)、ウルトラモバイルブロードバンド(UMB)、IEEE802.11(Wi-Fi)、IEEE802.16(WiMAX)、IEEE802.20、Flash-OFDM(登録商標)などの無線技術を実装し得る。UTRAおよびE-UTRAは、ユニバーサルモバイルテレコミュニケーションシステム(UMTS)の一部である。周波数分割複信(FDD)と時分割複信(TDD)の両方における3GPPロングタームエボリューション(LTE)およびLTEアドバンスト(LTE-A)は、ダウンリンク上ではOFDMAを用い、アップリンク上ではSC-FDMAを用いるE-UTRAを使用するUMTSの新しいリリースである。UTRA、E-UTRA、UMTS、LTE、LTE-AおよびGSM(登録商標)は、「第3世代パートナーシッププロジェクト」(3GPP)と称する組織からの文書に記載されている。cdma2000およびUMBは、「第3世代パートナーシッププロジェクト2」(3GPP2)と称する組織からの文書に記載されている。
【００２１】
本明細書で説明する技法は、多種多様な構成および設定において使用または実装され得る。これは、上述のワイヤレスネットワークおよび無線技術、ならびに(たとえば、5Gまたは5G/ニューラジオシステムを含む)他のワイヤレスネットワークおよび無線技術を含む。明快のために、本技法のいくつかの態様について、以下ではLTE/LTE-Aに関して説明し、以下の説明の大部分において、LTE/LTE-A用語が使用される。LTEおよびLTE-Aは、一般にLTEと呼ばれる。
【００２２】
態様および実施形態について、いくつかの例を例示することによって本出願において説明するが、当業者は、追加の実装形態および使用事例が多くの異なる構成およびシナリオにおいて生じ得ることを理解されよう。本明細書で説明する革新は、多くの異なるプラットフォームタイプ、デバイス、システム、形状、サイズ、パッケージング構成にわたって実施され得る。たとえば、集積チップ実施形態および他の非モジュール構成要素ベースのデバイス(たとえば、エンドユーザデバイス、車両、通信デバイス、コンピューティングデバイス、産業機器、小売/購買デバイス、医療デバイス、AI対応デバイスなど)によって実施形態および/または用途が生じ得る。いくつかの例は、使用事例または適用例を明確に対象とすることもあり、対象としないこともあるが、説明する革新の適用可能性の広範な取り合わせが発生し得る。実装形態は、チップレベルまたはモジュール式の構成要素から、非モジュール式で非チップレベルの実装形態まで、さらには、説明する革新の1つまたは複数の態様を組み込む統合型、分散型、またはOEMデバイスもしくはシステムまでの範囲に及ぶことがある。いくつかの実際的な設定では、説明する態様および特徴を組み込むデバイスは、特許請求し説明する実施形態の実装および実践のための追加の構成要素および特徴も必然的に含み得る。たとえば、ワイヤレス信号の送信および受信は、アナログ用およびデジタル用のいくつかの構成要素(たとえば、アンテナ、RFチェーン、電力増幅器、変調器、緩衝器、プロセッサ、インターリーバ、加算器(adder)/加算器(summer)などを含むハードウェア構成要素)を必然的に含む。本明細書で説明する革新は、多種多様なデバイス、チップレベルの構成要素、システム、分散型構成、エンドユーザデバイスなどにおいて実践され得ることを目的とする。
【００２３】
図1は、本開示の態様が実践され得る、基地局(BS)およびユーザ機器(UE)を有する例示的なワイヤレス通信ネットワーク100を示す。
【００２４】
たとえば、ワイヤレス通信ネットワーク100内の特定のUE(たとえば、LC MTC UE、LC eMTC UEなど)のための1つまたは複数のページング手順拡張がサポートされ得る。本明細書で提示する技法によれば、ワイヤレス通信ネットワーク100内のBSおよびLC UEは、ワイヤレス通信ネットワーク100によってサポートされる利用可能なシステム帯域幅から、LC UEがワイヤレス通信ネットワーク100内のBSから送信されたバンドルされたページングメッセージについてどの狭帯域領域を監視すべきかを決定することが可能であり得る。また、本明細書で提示する技法によれば、ワイヤレス通信ネットワーク100内のBSおよび/またはLC UEは、ワイヤレス通信ネットワーク100内の1つまたは複数のトリガに基づいてページングメッセージのバンドリングサイズを決定するおよび/または適合させることが可能であり得る。
【００２５】
ワイヤレス通信ネットワーク100は、LTEネットワークまたは何らかの他のワイヤレスネットワークであり得る。ワイヤレス通信ネットワーク100は、いくつかの発展型ノードB(eNB)110と他のネットワークエンティティとを含み得る。eNBは、ユーザ機器(UE)と通信するエンティティであり、基地局、ノードB、アクセスポイント(AP)などと呼ばれることもある。各eNBは、特定の地理的エリアに通信カバレージを提供し得る。3GPPでは、「セル」という用語は、この用語が使用される文脈に応じて、eNBのカバレージエリアおよび/またはこのカバレージエリアにサービスするeNBサブシステムを指すことができる。
【００２６】
eNBは、マクロセル、ピコセル、フェムトセル、および/または他のタイプのセルに通信カバレージを提供し得る。マクロセルは、比較的大きい地理的エリア(たとえば、半径数キロメートル)をカバーすることができ、サービスに加入しているUEによる無制限アクセスを可能にすることができる。ピコセルは、比較的小さい地理的エリアをカバーすることができ、サービスに加入しているUEによる無制限アクセスを可能にすることができる。フェムトセルは、比較的小さい地理的エリア(たとえば、自宅)をカバーすることができ、フェムトセルとの関連付けを有するUE(たとえば、限定加入者グループ(CSG)内のUE)による制限付きアクセスを可能にすることができる。マクロセルのためのeNBは、マクロeNBと呼ばれることがある。ピコセルのためのeNBは、ピコeNBと呼ばれることがある。フェムトセルのためのeNBは、フェムトeNBまたはホームeNB(HeNB)と呼ばれることがある。図1に示す例では、eNB110aはマクロセル102aのためのマクロeNBであってもよく、eNB110bはピコセル102bのためのピコeNBであってもよく、eNB110cはフェムトセル102cのためのフェムトeNBであってもよい。eNBは、1つまたは複数(たとえば、3つ)のセルをサポートし得る。「eNB」、「基地局」、および「セル」という用語は、本明細書では互換的に使用され得る。
【００２７】
ワイヤレス通信ネットワーク100はまた、中継局を含み得る。中継局は、上流局(たとえば、eNBまたはUE)からデータの送信を受信し、データの送信を下流局(たとえば、UEまたはeNB)に送ることができるエンティティである。中継局はまた、他のUEに対する送信を中継することができるUEであり得る。図1に示す例では、中継(局)eNB110dは、eNB110aとUE120dとの間の通信を容易にするために、マクロeNB110aおよびUE120dと通信し得る。中継局は、中継eNB、中継基地局、リレーなどと呼ばれることもある。
【００２８】
ワイヤレス通信ネットワーク100は、異なるタイプのeNB、たとえば、マクロeNB、ピコeNB、フェムトeNB、中継eNBなどを含む異種ネットワークであり得る。これらの異なるタイプのeNBは、ワイヤレス通信ネットワーク100において、異なる送信電力レベル、異なるカバレージエリア、および干渉に対する異なる影響を有し得る。たとえば、マクロeNBは、高い送信電力レベル(たとえば、5〜40W)を有し得るが、ピコeNB、フェムトeNB、および中継eNBは、より低い送信電力レベル(たとえば、0.1〜2W)を有し得る。
【００２９】
ネットワークコントローラ130は、eNBのセットに結合することができ、これらのeNBの協調および制御を行うことができる。ネットワークコントローラ130は、バックホールを介してeNBと通信し得る。eNBはまた、たとえば、ワイヤレスバックホールまたはワイヤラインバックホールを介して直接または間接的に互いと通信し得る。
【００３０】
UE120(たとえば、120a、120b、120c)は、ワイヤレス通信ネットワーク100全体にわたって分散されてもよく、各UEは、固定またはモバイルであり得る。UEは、アクセス端末、端末、移動局(MS)、加入者ユニット、局(STA)などと呼ばれることもある。UEは、セルラーフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、スマートフォン、ネットブック、スマートブック、ウルトラブック、ナビゲーションデバイス、ゲームデバイス、カメラ、車両デバイス、ドローン、ロボット/ロボティックデバイス、ウェアラブルデバイス(たとえば、スマートウォッチ、スマートクロージング、スマートリストバンド、スマートリング、スマートブレスレット、スマートグラス、仮想現実ゴーグル)、医療デバイス、ヘルスケアデバイスなどであり得る。MTC UEは、センサー、メーター、モニタ、ロケーションタグ、ドローン、トラッカー、ロボット/ロボティックデバイスなどのデバイスを含む。UE(たとえば、MTCデバイス)は、あらゆるモノのインターネット(IoE)またはモノのインターネット(IoT)(たとえば、狭帯域IoT(NB-IoT))デバイスとして実装され得る。
【００３１】
ワイヤレス通信ネットワーク100(たとえば、LTEネットワーク)内の1つまたは複数のUE120はまた、たとえば、LC MTC UE、LC eMTC UEなどの低コスト(LC)、低データレートデバイスであり得る。LC UEは、LTEネットワーク内のレガシーUEおよび/またはアドバンストUEと共存することができ、ワイヤレスネットワーク内のその他のUE(たとえば、非LC UE)と比較すると制限されている1つまたは複数の能力を有し得る。たとえば、LTEネットワーク内のレガシーUEおよび/またはアドバンストUEと比較すると、LC UEは、以下のうちの1つまたは複数、すなわち、(レガシーUEに対する)最大帯域幅の低減、単一の受信無線周波数(RF)チェーン、ピークレートの低減、送信電力の低減、ランク1送信、半二重動作などとともに動作し得る。本明細書で使用する、MTCデバイス、eMTCデバイスなどの、制限された通信リソースを有するデバイスは、一般にLC UEと呼ばれる。同様に、(たとえば、LTE内の)レガシーUEおよび/またはアドバンストUEなどのレガシーデバイスは、一般に非LC UEと呼ばれる。
【００３２】
図2は、それぞれ、図1のBS/eNB110のうちの1つおよびUE120のうちの1つであり得る、BS/eNB110およびUE120の設計のブロック図である。BS110はT個のアンテナ234a〜234tを備えてもよく、UE120はR個のアンテナ252a〜252rを備えてもよく、ただし、一般にT≧1およびR≧1である。
【００３３】
BS110において、送信プロセッサ220は、データソース212から1つまたは複数のUEのためのデータを受信し、UEから受信されたチャネル品質インジケータ(CQI)に基づいて各UE用の1つまたは複数の変調およびコーディング方式(MCS)を選択し、UE用に選択されたMCSに基づいて各UE用のデータを処理(たとえば、符号化および変調)し、データシンボルをすべてのUEに与え得る。送信プロセッサ220はまた、(たとえば、半静的リソース区分情報(SRPI:semi-static resource partitioning information)などについての)システム情報および制御情報(たとえば、CQI要求、許可、上位レイヤシグナリングなど)を処理し、オーバーヘッドシンボルおよび制御シンボルを与え得る。送信プロセッサ220はまた、基準信号(たとえば、共通基準信号(CRS))および同期信号(たとえば、1次同期信号(PSS)および2次同期信号(SSS))用の基準シンボルを生成し得る。送信(TX)多入力多出力(MIMO)プロセッサ230は、該当する場合はデータシンボル、制御シンボル、オーバーヘッドシンボル、および/または基準シンボルに対して空間処理(たとえば、プリコーディング)を実行し得、T個の出力シンボルストリームをT個の変調器(MOD)232a〜232tに与え得る。各MOD232は、(たとえば、OFDM用などに)それぞれの出力シンボルストリームを処理して、出力サンプルストリームを取得し得る。各MOD232は、出力サンプルストリームをさらに処理(たとえば、アナログに変換、増幅、フィルタリング、およびアップコンバート)して、ダウンリンク信号を取得し得る。変調器232a〜232tからのT個のダウンリンク信号は、それぞれT個のアンテナ234a〜234tを介して送信され得る。
【００３４】
UE120において、アンテナ252a〜252rは、BS110および/または他のBSからダウンリンク信号を受信し得、受信信号をそれぞれ復調器(DEMOD)254a〜254rに与え得る。各DEMOD254は、その受信信号を調整(たとえば、フィルタリング、増幅、ダウンコンバート、およびデジタル化)して、入力サンプルを取得し得る。各DEMOD254は、(たとえば、OFDM用などに)入力サンプルをさらに処理して、受信シンボルを取得し得る。MIMO検出器256は、すべてのR個の復調器254a〜254rから受信シンボルを取得し、該当する場合は受信シンボルに対してMIMO検出を実行し、検出されたシンボルを与え得る。受信プロセッサ258は、検出されたシンボルを処理(たとえば、復調および復号)し、UE120のための復号されたデータをデータシンク260に与え、復号された制御情報およびシステム情報をコントローラ/プロセッサ280に与え得る。チャネルプロセッサは、基準信号受信電力(RSRP)、受信信号強度インジケータ(RSSI)、基準信号受信品質(RSRQ)、CQIなどを決定し得る。
【００３５】
アップリンク上では、UE120において、送信プロセッサ264は、データソース262からデータを受信および処理し、コントローラ/プロセッサ280から(たとえば、RSRP、RSSI、RSRQ、CQIなどを含む報告のための)制御情報を受信および処理し得る。送信プロセッサ264はまた、1つまたは複数の基準信号用の基準シンボルを生成し得る。送信プロセッサ264からのシンボルは、該当する場合はTX MIMOプロセッサ266によってプリコーディングされ、(たとえば、SC-FDM、OFDM用などに)MOD254a〜254rによってさらに処理され、BS110に送信され得る。BS110において、UE120および他のUEからのアップリンク信号は、アンテナ234によって受信され、DEMOD232によって処理され、該当する場合はMIMO検出器236によって検出され、受信プロセッサ238によってさらに処理されて、UE120によって送られた復号されたデータおよび制御情報を取得し得る。受信プロセッサ238は、復号されたデータをデータシンク239に与え、復号された制御情報をコントローラ/プロセッサ240に与え得る。BS110は、通信ユニット244を含み、通信ユニット244を介してネットワークコントローラ130と通信し得る。ネットワークコントローラ130は、通信ユニット294と、コントローラ/プロセッサ290と、メモリ292とを含み得る。
【００３６】
コントローラ/プロセッサ240および280は、それぞれBS110およびUE120における動作を指示し得る。たとえば、BS110におけるコントローラ/プロセッサ240ならびに/または他のプロセッサおよびモジュールは、図10、図13、図14、図17に示す動作および/または本明細書で説明する技法のための他のプロセスを実行または指示し得る。同様に、UE120におけるコントローラ/プロセッサ280ならび/または他のプロセッサおよびモジュールは、図11、図12、図15、図16に示す動作および/または本明細書で説明する技法のためのプロセスを実行または指示し得る。メモリ242および282は、それぞれBS110およびUE120のためのデータおよびプログラムコードを記憶し得る。スケジューラ246は、ダウンリンクおよび/またはアップリンク上でのデータ送信のためにUEをスケジュールし得る。
【００３７】
図3は、LTEにおけるFDD用の例示的なフレーム構造300を示す。ダウンリンクおよびアップリンクの各々の送信タイムラインは、無線フレームの単位に区分され得る。各無線フレームは、所定の持続時間(たとえば、10ミリ秒(ms))を有することができ、0〜9のインデックスを有する10個のサブフレームに区分され得る。各サブフレームは、2つのスロットを含み得る。したがって、各無線フレームは、0〜19のインデックスを有する20個のスロットを含み得る。各スロットは、L個のシンボル期間、たとえば、(図2に示すように)ノーマルサイクリックプレフィックスの場合は7つのシンボル期間、または拡張サイクリックプレフィックスの場合は6つのシンボル期間を含み得る。各サブフレームにおける2L個のシンボル期間は、0〜2L-1のインデックスを割り当てられ得る。
【００３８】
LTEでは、eNBは、eNBによってサポートされるセルごとのシステム帯域幅の中心1.08MHzにおいて、ダウンリンク上で1次同期信号(PSS)および2次同期信号(SSS)を送信することができる。PSSおよびSSSは、図3に示すように、それぞれ、ノーマルサイクリックプレフィックスを有する各無線フレームのサブフレーム0および5中のシンボル期間6および5において送信され得る。PSSおよびSSSは、セル探索および獲得のためにUEによって使用され得る。eNBは、eNBによってサポートされるセルごとのシステム帯域幅にわたってセル固有基準信号(CRS)を送信し得る。CRSは、各サブフレームのいくつかのシンボル期間において送信されることがあり、チャネル推定、チャネル品質測定、および/または他の機能を実行するためにUEによって使用されることがある。eNBはまた、いくつかの無線フレームのスロット1中のシンボル期間7〜10において物理ブロードキャストチャネル(PBCH)を送信し得る。PBCHは、何らかのシステム情報を搬送し得る。eNBは、いくつかのサブフレーム中の物理ダウンリンク共有チャネル(PDSCH)上で、システム情報ブロック(SIB)および狭帯域SIB(SIB-NB)などの他のシステム情報を送信し得る。eNBは、サブフレームの最初のBシンボル期間において物理ダウンリンク制御チャネル(PDCCH)上で制御情報/データを送信することができ、ここで、Bはサブフレームごとに構成可能であり得る。eNBは、各サブフレームの残りのシンボル期間においてPDSCH上でトラフィックデータおよび/または他のデータを送信し得る。
【００３９】
LTEにおけるPSS、SSS、CRS、およびPBCHは、公開されている「Evolved Universal Terrestrial Radio Access (E-UTRA); Physical Channels and Modulation」と題する3GPP TS 36.211に記載されている。
【００４０】
図4は、ノーマルサイクリックプレフィックスを有するダウンリンクのための2つの例示的なサブフレームフォーマット410および420を示す。ダウンリンクに利用可能な時間周波数リソースは、リソースブロックに区分され得る。各リソースブロックは、1つのスロットにおいて12個のサブキャリアをカバーすることができ、いくつかのリソース要素を含み得る。各リソース要素は、1つのシンボル期間において1つのサブキャリアをカバーすることができ、実数値または複素数値であり得る1つの変調シンボルを送るために使用され得る。
【００４１】
サブフレームフォーマット410は、2つのアンテナを備えたeNBに使用され得る。CRSは、シンボル期間0、4、7、および11においてアンテナ0および1から送信され得る。基準信号は、送信機および受信機によってアプリオリに知られている信号であり、パイロットと呼ばれることもある。CRSは、たとえば、セル識別情報(ID)に基づいて生成される、セルに固有の基準信号である。図4では、ラベルRaを有する所与のリソース要素について、アンテナaからそのリソース要素上で変調シンボルが送信されることがあり、他のアンテナからそのリソース要素上で変調シンボルが送信されないことがある。サブフレームフォーマット420は、4つのアンテナを備えたeNBに使用され得る。CRSは、シンボル期間0、4、7および11においてアンテナ0および1から送信され、シンボル期間1および8においてアンテナ2および3から送信され得る。サブフレームフォーマット410と420の両方について、CRSは、セルIDに基づいて決定され得る均等に離間したサブキャリア上で送信され得る。異なるeNBは、そのCRSを、そのセルIDに応じて、同じまたは異なるサブキャリア上で送信し得る。サブフレームフォーマット410と420の両方について、CRSに使用されないリソース要素は、データ(たとえば、トラフィックデータ、制御データ、および/または他のデータ)を送信するために使用され得る。
【００４２】
インターレース構造は、LTEにおけるFDD用のダウンリンクおよびアップリンクの各々に使用され得る。たとえば、0〜Q-1のインデックスを有するQ個のインターレースが定義されてもよく、ここで、Qは、4、6、8、10、または何らかの他の値に等しくてもよい。各インターレースは、Q個のフレームだけ離間したサブフレームを含み得る。具体的には、インターレースqは、サブフレームq、q+Q、q+2Qなどを含んでもよく、ここで、q∈{0, ..., Q-1}である。
【００４３】
ワイヤレスネットワークは、ダウンリンクおよびアップリンク上でのデータ送信のためにハイブリッド自動再送要求(HARQ)をサポートし得る。HARQの場合、送信機(たとえば、eNB110)は、パケットが受信機(たとえば、UE120)によって正確に復号されるか、または何らかの他の終了条件に遭遇するまで、パケットの1つまたは複数の送信を送ることができる。同期HARQの場合、パケットのすべての送信は、単一のインターレースのサブフレーム中で送られ得る。非同期HARQの場合、パケットの各送信は、任意のサブフレーム中で送られ得る。
【００４４】
UEは、複数のeNBのカバレージ内に位置し得る。そのUEにサービスするために、これらのeNBのうちの1つが選択され得る。サービングeNBは、受信信号強度、受信信号品質、経路損失などの様々な基準に基づいて選択され得る。受信信号品質は、信号対干渉雑音比(SINR)、もしくは基準信号受信品質(RSRQ)、または何らかの他のメトリックによって定量化され得る。UEは、UEが1つまたは複数の干渉eNBからの高い干渉を観測し得る支配的干渉シナリオにおいて動作し得る。
【００４５】
上述のように、ワイヤレス通信ネットワーク(たとえば、ワイヤレス通信ネットワーク100)内の1つまたは複数のUEは、ワイヤレス通信ネットワーク内の他の(非LC)デバイスと比較して制限された通信リソースを有する、LC UEなどのデバイスであり得る。
【００４６】
たとえば、LTE Rel-13におけるいくつかのシステムでは、LC UEは、利用可能なシステム帯域幅内の(たとえば、わずか6つのリソースブロック(RB)の)特定の狭帯域割当てに制限され得る。しかしながら、LC UEは、たとえば、LTEシステム内で共存するために、LTEシステムの利用可能なシステム帯域幅内の異なる狭帯域領域に再同調する(たとえば、動作するおよび/またはキャンプする)ことが可能であってもよい。
【００４７】
LTEシステム内での共存の別の例として、LC UEは、レガシー物理ブロードキャストチャネル(PBCH)(たとえば、一般にセルへの初期アクセスに使用され得るパラメータを搬送するLTE物理チャネル)を(繰り返し)受信し、1つまたは複数のレガシー物理ランダムアクセスチャネル(PRACH)フォーマットをサポートすることが可能であってもよい。たとえば、LC UEは、複数のサブフレームにわたるPBCHの1つまたは複数の追加の繰返しを伴うレガシーPBCHを受信することが可能であってもよい。別の例として、LC UEは、(たとえば、サポートされた1つまたは複数のPRACHフォーマットを有する)PRACHの1つまたは複数の繰返しをLTEシステム内のeNBに送信することが可能であってもよい。PRACHは、LC UEを識別するために使用され得る。また、繰り返されるPRACH試行の数はeNBによって構成され得る。
【００４８】
LC UEはまた、リンクバジェットが制限されたデバイスであってもよく、そのリンクバジェット制限に基づいて異なる動作モード(たとえば、LC UEとの間で送信される異なる量の繰り返されるメッセージを伴う)で動作してもよい。たとえば、場合によっては、LC UEは、繰返しがほとんどまたはまったくない(たとえば、UEがメッセージの受信および/または送信に成功するために必要とされる繰返しの量は少なくてもよいか、または繰返しは必要ですらないことがある)通常カバレージモードで動作してもよい。代替的に、場合によっては、LC UEは、大量の繰返しがあり得るカバレージ拡張(CE)モードで動作してもよい。たとえば、328ビットペイロードの場合、CEモードのLC UEは、ペイロードの受信に成功するために、ペイロードの150回以上の繰返しを必要とし得る。
【００４９】
場合によっては、たとえば、LTE Rel-13の場合も、LC UEは、そのブロードキャスト送信およびユニキャスト送信の受信に関して制限された能力を有し得る。たとえば、LC UEによって受信されるブロードキャスト送信の最大トランスポートブロック(TB)サイズは、1000ビットに制限され得る。加えて、場合によっては、LC UEは、サブフレーム中で2つ以上のユニキャストTBを受信することが可能ではないことがある。場合によっては(たとえば、上記で説明したCEモードと通常モードの両方の場合)、LC UEは、サブフレーム中で2つ以上のブロードキャストTBを受信することが可能ではないことがある。さらに、場合によっては、LC UEは、サブフレーム中でユニキャストTBとブロードキャストTBの両方を受信することが可能ではないことがある。
【００５０】
MTCの場合、LTEシステム内で共存するLC UEはまた、ページング、ランダムアクセス手順などのいくつかの手順のための新しいメッセージを(たとえば、これらの手順のためにLTE内で使用される従来のメッセージとは対照的に)サポートし得る。言い換えれば、ページング、ランダムアクセス手順などのためのこれらの新しいメッセージは、非LC UEに関連付けられた同様の手順に使用されるメッセージとは別個のものであり得る。たとえば、LTE内で使用される従来のページングメッセージと比較して、LC UEは、非LC UEが監視および/または受信することが可能ではないことがあるページングメッセージを監視および/または受信することが可能であってもよい。同様に、従来のランダムアクセス手順において使用される従来のランダムアクセス応答(RAR)メッセージと比較して、LC UEは、やはり非LC UEによって受信されることが可能ではないことがあるRARメッセージを受信することが可能であってもよい。LC UEに関連付けられた新しいページングメッセージおよびRARメッセージはまた、1回または複数回繰り返される(たとえば、「バンドルされる」)ことがある。加えて、新しいメッセージの異なる数の繰返し(たとえば、異なるバンドリングサイズ)がサポートされ得る。
【００５１】
広帯域システム内での例示的な狭帯域共存
上述のように、狭帯域(たとえば、MTCまたはNB-IoT)動作は、(たとえば、LTEまたは何らかの他のRATと共存して)ワイヤレス通信ネットワークにおいてサポートされ得る。図5Aおよび図5Bは、たとえば、MTC動作中のLC UEがLTEなどの広帯域システム内でどのように共存し得るかの一例を示す。
【００５２】
図5Aの例示的なフレーム構造に示すように、MTC動作および/またはeMTC動作に関連付けられたサブフレーム510は、LTE(または何らかの他のRAT)に関連付けられた通常のサブフレーム520と時分割多重化(TDM)され得る。
【００５３】
追加または代替として、図5Bの例示的なフレーム構造に示すように、MTCにおけるLC UEによって使用される1つまたは複数の狭帯域領域560、562は、LTEによってサポートされるより広い帯域幅550内で周波数分割多重化され得る。各狭帯域領域が合計で6つのRB以下である帯域幅にわたる、複数の狭帯域領域は、MTC動作および/またはeMTC動作についてサポートされ得る。場合によっては、MTC動作における各LC UEは、一度に1つの狭帯域領域内で(たとえば、1.4MHzまたは6つのRBにおいて)動作し得る。しかしながら、MTC動作におけるLC UEは、任意の所与の時間に、より広いシステム帯域幅内の他の狭帯域領域に再同調することができる。いくつかの例では、複数のLC UEは、同じ狭帯域領域によってサービスされ得る。他の例では、複数のLC UEは、(たとえば、各狭帯域領域が6つのRBにわたる)異なる狭帯域領域によってサービスされ得る。さらに他の例では、LC UEの異なる組合せは、1つもしくは複数の同じ狭帯域領域および/または1つもしくは複数の異なる狭帯域領域によってサービスされ得る。
【００５４】
LC UEは、様々な異なる動作のために狭帯域領域内で動作(たとえば、監視/受信/送信)し得る。たとえば、図5Bに示すように、サブフレーム552の(たとえば、広帯域データのわずか6つのRBにわたる)第1の狭帯域領域560は、ワイヤレス通信ネットワーク内のBSからのPSS、SSS、PBCH、MTCシグナリング、またはページング送信のいずれかについて、1つまたは複数のLC UEによって監視され得る。同じく図5Bに示すように、サブフレーム554の(たとえば、同じく広帯域データのわずか6つのRBにわたる)第2の狭帯域領域562は、BSから受信されたシグナリングにおいて以前に構成されたRACHまたはデータを送信するために、LC UEによって使用され得る。場合によっては、第2の狭帯域領域は、第1の狭帯域領域を利用した同じLC UEによって利用され得る(たとえば、LC UEは、第1の狭帯域領域において監視した後で送信するために、第2の狭帯域領域に再同調していることがある)。場合によっては(図示されていないが)、第2の狭帯域領域は、第1の狭帯域領域を利用したLC UEとは異なるLC UEによって利用され得る。
【００５５】
本明細書で説明する例は6つのRBの狭帯域を想定しているが、当業者であれば、本明細書で提示する技法は異なるサイズの狭帯域領域にも適用され得ることを認識されよう。
【００５６】
MTCのための例示的な狭帯域管理
上述のように、たとえば、LTE Rel-12などのいくつかのシステムでは、MTC(たとえば、eMTC)用の狭帯域動作がサポートされ得る。MTC用の狭帯域動作をサポートするセルは、ダウンリンク(DL)動作およびアップリンク(UL)動作用の異なるシステム帯域幅を有し得る。異なるDLシステム帯域幅(SB)およびULシステム帯域幅(SB)を有するセルは、ULシステム帯域幅を狭帯域領域に編成するために使用されるやり方とは異なるやり方で、DLシステム帯域幅を狭帯域領域に編成し得る。したがって、本開示の態様は、DLシステム帯域幅およびULシステム帯域幅を狭帯域領域に編成するための技法を提供する。
【００５７】
MTC UEおよびレガシーUE用の狭帯域動作をサポートするセルは、レガシーUEからレガシーPUCCH送信を受信し得る。レガシーPUCCH送信は、セルのULシステム帯域幅のいずれかまたは両方のエッジにおいて送信され得る。したがって、本開示の態様は、レガシーPUCCH送信が使用するためのUL狭帯域領域中に含まれる送信リソースを確保する技法を提供する。同様の確保は、他のレガシーDL信号またはチャネルが使用するためのDL狭帯域領域にも適用され得る。
【００５８】
MTC用の狭帯域動作をサポートするセルは、サウンディング基準信号(SRS)の送信もサポートし得る。SRSを送信するための定義された現行の最小帯域幅は4つのRBである。しかしながら、上述のように、狭帯域領域の帯域幅は6つのRBである。6つのRBは4つのRBで割り切れないという事実は、6RBベースの狭帯域動作において4つのRBを使用してSRS送信を管理するうえでの課題を提示する。したがって、本開示の態様は、(たとえば、MTC用の)狭帯域動作をサポートするセルにおいてSRSを送信するための送信リソースを割り当てるための技法を提供する。
【００５９】
FDDで動作するセルは、そのセルのULシステム帯域幅とは異なるサイズであるDLシステム帯域幅を有し得る。たとえば、セルは、10MHzのシステム帯域幅においてDL動作を実行し、5MHzシステム帯域幅においてUL動作を実行し得る。MTC動作およびMTC UEをサポートするために、セルは、DLシステム帯域幅およびULシステム帯域幅を狭帯域領域に編成し得る。セルを制御するeNBまたは他のBSは、MTC UEがeNBからの信号を監視するために、DL狭帯域領域をそのMTC UEに割り当て得る。同様に、eNB(または他のBS)は、MTC UEがUL信号を送信するときに使用するために、UL狭帯域領域をそのMTC UEに割り当て得る。本例では、セルは、ULシステム帯域幅を4つのUL狭帯域領域に編成する一方で、DLシステム帯域幅を8つのDL狭帯域領域に編成し得る。
【００６０】
BS(たとえば、eNBまたはセル)が狭帯域領域に編成されたセルのDLシステム帯域幅およびULシステム帯域幅でMTC UEをサポートするとき、BSは、DL狭帯域領域をMTC UEに割り当てることがそのMTC UEへのUL狭帯域領域の割当てを暗示するように、DL狭帯域領域とUL狭帯域領域との間のマッピングを確立し得る。マッピングを有することで、BSがセル内のリソースのスケジューリングを簡略化することが可能になり、たとえば、BSは、UL狭帯域領域上のMTC UEへの対応するDL狭帯域領域上での送信のACK/NAKを予想することができる。同様に、MTC UEは、そのMTC UEに対する割り当てられたDL狭帯域領域上でのDL送信を監視し、対応するUL狭帯域領域上での送信で応答する。
【００６１】
本開示の態様によれば、BSによってUL狭帯域領域およびDL狭帯域領域をマッピングするための技法が提供される。BSは、BSによってサポートされるULシステム帯域幅およびDLシステム帯域幅の最小サイズを決定し、決定されたサイズに編成され得る狭帯域領域の数を決定し、次いで、DLシステム帯域幅とULシステム帯域幅の両方をその数の狭帯域領域に編成し得る。次いで、BSは、各DL狭帯域領域を1つのUL狭帯域領域にマッピングし得る。たとえば、セルは、10MHzのシステム帯域幅においてDL動作を実行し、5MHzシステム帯域幅においてUL動作を実行し得る。本例では、BSは、ULシステム帯域幅およびDLシステム帯域幅の最小サイズが5MHzであると決定し、次いで、BSが5MHzシステム帯域幅において4つの狭帯域領域を編成することができると決定し得る。依然として本例では、BSは、次いで、DLシステム帯域幅において4つのDL狭帯域領域を、ULシステム帯域幅において4つのUL狭帯域領域を編成し、各DL狭帯域領域を1つのUL狭帯域領域にマッピングし得る。
【００６２】
図6は、上記で説明したように、UL狭帯域領域へのDL狭帯域領域の例示的なマッピング600を示す。そのようなマッピングは、図1のeNB110aによって用いられ得る。図6は、一見したところ同じ周波数範囲内にあるDLシステム帯域幅610およびULシステム帯域幅650を示しているが、DLシステム帯域幅およびULシステム帯域幅は、FDDを使用するセルでは異なる周波数範囲にある。DLシステム帯域幅610は10MHzまたは50個のRB幅であり、ULシステム帯域幅650は5MHzまたは25個のRB幅である。DLシステム帯域幅610およびULシステム帯域幅650を動作させる一方でMTC UEをサポートするBSは、ULシステム帯域幅650がDLシステム帯域幅610よりも小さいと決定し得る(ULシステム帯域幅650の5MHzサイズは、ULシステム帯域幅650およびDLシステム帯域幅610の最小サイズである)。次いで、BSは、BSがULシステム帯域幅650から4つの狭帯域領域652、654、656、および658を編成することができると決定し得る。次いで、BSは、DLシステム帯域幅から4つの狭帯域領域を編成することを決定し、DLシステム帯域幅からDL狭帯域領域612、614、616、および618を編成し得る。次いで、BSは、DL狭帯域領域612をUL狭帯域領域652に、DL狭帯域領域614をUL狭帯域領域654に、DL狭帯域領域616をUL狭帯域領域656に、DL狭帯域領域618をUL狭帯域領域658にマッピングし得る。
【００６３】
上述のように、LTE Rel-12においてLC MTC UEが導入された。MTC動作をサポートするために、LTEリリース13(Rel-13)において追加の拡張が行われ得る。たとえば、MTC UEは、より広いシステム帯域幅(たとえば、1.4MHz、3MHz、5MHz、10MHz、15MHz、20MHz)内の1.4MHzまたは6つのRBの狭帯域領域において動作(たとえば、監視、送信、および受信)することが可能であり得る。第2の例として、基地局およびMTC UEは、いくつかの技法、たとえば、バンドリングによって最高20dBのカバレージ拡張(CE)をサポートし得る。カバレージ拡張(coverage enhancement)は、カバレージ拡張(coverage extension)および範囲拡張(range extension)と呼ばれることもある。
【００６４】
UEが、そのUEが現在接続されていないセルと接続する必要があるとき、UEおよびセルは、ランダムアクセスチャネル(RACH)手順と呼ばれるメッセージの交換に関与する。RACH手順では、UEは、物理ランダムアクセスチャネル(PRACH)信号(RACH手順のMsg1と呼ばれることがある)をPRACH信号のために確保された送信リソースのセットにおいて送信し、次いで、セルは、ダウンリンク共有チャネル(DL-SCH)上で搬送されるランダムアクセス応答(RAR)メッセージ(RACH手順のMsg2と呼ばれることがある)でPRACH信号に応答する。UEは、RRC接続要求メッセージ(RACH手順のMsg3と呼ばれることがある)でRARメッセージに応答し、セルは、競合解消メッセージ(RACH手順のMsg4と呼ばれることがある)で応答する。次いで、UEはセルと接続される。
【００６５】
現行(たとえば、LTE Rel-12)のワイヤレス技術では、MTCデバイスによって送信されるPRACH信号は、シングルトーン内の、2つのホッピング値を使用する、4つのシンボルの1つのグループを含む。
【００６６】
以下でさらに詳細に説明するように、本開示のいくつかの態様によれば、PRACH信号はアップリンクベースの測位手順において利用され得る。
【００６７】
非アンカーリソースブロック内の例示的な狭帯域基準信号
狭帯域モノのインターネット(NB-IoT)通信に関連するLTEリリース13(Rel-13)通信規格では、UEは、接続確立後に非アンカー物理リソースブロック(PRB)において動作するように構成され得る。非アンカーPRBは、それを介してUEが初期アクセスを実行しなかったPRBであり、一般的には、狭帯域1次同期信号(NPSS)、狭帯域2次同期信号(NSSS)、および狭帯域物理ブロードキャストチャネル(NPBCH)を含んでいない(たとえば、これらの信号は、非アンカーPRB内でBSによって送信されない)。非アンカーPRBにおいて動作するように構成されたUEは、一般的には、ユニキャスト送信においてこの構成を受信し、たとえば、UEは、RRC再構成を介して構成を受信し得る。
【００６８】
LTE Rel-14では、非アンカーPRBの概念はページングおよびランダムアクセスに拡張される。すなわち、UEは、非アンカーPRBを介して、ページングメッセージを受信し、ランダムアクセスチャネル(RACH)メッセージを送信し、ランダムアクセス応答(RAR)メッセージを受信し得る。非アンカーPRBにおいてページングメッセージを監視し、RACH手順を実行するためのこれらの構成は、たとえば、SIBメッセージにおいて、基地局によってブロードキャストされ得る。セル内のすべてのUEは、一般的には、これらの非アンカーPRBの存在ならびにRACH手順およびページングのためのそれらの使用に関する情報を(たとえば、ブロードキャストメッセージから)受信する。
【００６９】
本開示の態様によれば、BSおよびUEは、これらのPRB内の狭帯域基準信号(NRS)の存在を決定し得る。非アンカーPRBを監視するように構成されたUE(たとえば、MTC UE)がない場合、非アンカーPRBにおいてNRSは必要ではなく、NRSを搬送するために使用されることになっていた送信リソースは、代わりに他のUE(たとえば、広帯域UE)との通信に使用され得るので、NRSはセルにおけるあらゆる非アンカーPRB内で連続的には送信されないことがある。
【００７０】
本開示の態様では、非アンカーPRB内のNRSの存在または不在は、モビリティ、時間追跡、および/または周波数追跡に関するUE挙動に影響を及ぼすことがある。たとえば、UEは時間追跡のための基礎として非アンカーPRB内のNRSを使用することがあり、UEが非アンカーPRB内のNRSを検出しない場合、UEは他のPRB内の(たとえば、時間追跡に使用するための)NRSを検出するために受信機を再同調させることがある。
【００７１】
本開示の態様によれば、NRSの存在に対するネットワーク柔軟性を得る一方でそれと同時に、UEが時間追跡および周波数追跡を実行することを可能にする技法が提供される。すなわち、本技法は、ネットワークエンティティがあらゆる非アンカーPRB内でNRSを送信しない一方で、サポートされるUEが時間追跡および周波数追跡を実行することを可能にするのに十分なNRSを依然として送信することを可能にし得る。
【００７２】
図7は、本開示のいくつかの態様による、図1に示すUE120aなどのUEによって実行され得るワイヤレス通信のための例示的な動作700を示す。
【００７３】
動作700は、ブロック702において、ページング機会(PO)、ランダムアクセス応答(RAR)送信、またはシングルセルポイントツーマルチポイント(SC-PTM)送信が発生することになるかまたは発生したとUEが判断することによって開始する。たとえば、UE120a(図1参照)は、現在サブフレームにおいてページング機会が発生したと判断する。
【００７４】
ブロック704において、動作700は継続し、UEが非アンカーリソースブロック(RB)内の狭帯域基準信号(NRS)の発生を決定する。この決定は、POの発生または非発生に関する判断、1つまたは複数の狭帯域送信パラメータ、あるいはPO、RAR送信、またはSC-PTM送信と同じRB内の1つまたは複数の他の送信の存在を含む、いくつかの要因に基づき得る。本明細書で使用する非アンカーRBは、NPSS、NSSS、およびNPBCH信号が発生しない(たとえば、図3に示すように、フレームのサブフレーム0または5では発生しない)RBである。上記の例を続けると、UE120aは、現在サブフレームにおいてPOが発生することに基づいて、非アンカーRB内でNRSが発生すると決定する。
【００７５】
ブロック706において、UEはNRSを処理する。NRSを処理することは、たとえば、UEの送信機もしくは受信機のための周波数調整を決定するためにNRSを使用すること、および/または、UEによって追跡される絶対時間の更新を決定するためにNRSを使用することを含み得る。上記の例を続けると、UE120aは、NRSに基づいてUEの受信機のための周波数調整を決定することによって、非アンカーRB内のNRSを処理し得る。
【００７６】
図8は、本開示のいくつかの態様による、図1に示すBS110aなどのBSによって実行され得るワイヤレス通信のための例示的な動作800を示す。
【００７７】
動作800は、ブロック802において、ユーザ機器(UE)への1つまたは複数の送信をスケジュールするかどうかをBSが決定することによって開始する。たとえば、BS110a(図1参照)は、UE120aへのNPDCCHをスケジュールすると決定する。
【００７８】
ブロック804において、BSは、ページング機会(PO)、ランダムアクセス応答(RAR)送信、またはシングルセルポイントツーマルチポイント(SC-PTM)送信が発生することになるかまたは発生したと判断する。上記の例を続けると、BS110aは、現在サブフレームにおいてUE120aのためのPOが発生すると判断する。
【００７９】
動作800はブロック806において継続し、BSが、判断、1つまたは複数の狭帯域送信パラメータ、あるいはUEへの1つまたは複数の送信をスケジュールするかどうかの決定のうちの少なくとも1つに基づいて、非アンカーリソースブロック(RB)内の狭帯域基準信号(NRS)を送信すると決定する。本明細書で使用する非アンカーRBは、NPSS、NSSS、およびNPBCH信号が発生しない(たとえば、図3に示すように、フレームのサブフレーム0または5では発生しない)RBである。上記の例を続けると、BS110aは、非アンカーRBにおいてUE120aへのNPDCCHをスケジュールするというブロック802における決定に基づいて、非アンカーRB内のNRSを送信すると決定する。
【００８０】
ブロック808において、BSは非アンカーRB内のNRSを送信する。依然として上記の例では、BS110aは、BSがUE120aへのNPDCCHを送信するために使用している同じ非アンカーRB内のNRSを送信する。
【００８１】
本開示の態様によれば、UEは、NRSが任意のページング機会(PO)、(たとえば、UEによる前のRACHに応答する基地局からの)ランダムアクセス応答(RAR)送信、またはシングルセルポイントツーマルチポイント(SC-PTM)送信の周りの期間(たとえば、サブフレーム)に存在すると仮定し得る。NRSの存在を(UEによって)仮定することは、図7を参照しながら上記で説明したように、NRSを処理することを含み得る。ページング機会、RAR送信、またはSC-PTM送信の周りにない他のサブフレームの場合、UEはNRSの存在を仮定しないことがある。NRSが任意のページング機会、RAR送信、またはSC-PTM送信の周りに存在すると仮定することによって、UEは、ページもしくはSC-PTM送信を監視し、モビリティについてのNRSの測定を行い、時間追跡ループを同調させ、および/またはアンカーキャリアに再同調する(たとえば、UEの受信機を再同調させる)ことなしに周波数追跡ループを同調させるためにウェイクアップすることができる。同様に、UEは、RAR送信を受信し、モビリティについてのNRSの測定を行い、時間追跡ループを同調させ、および/またはアンカーキャリアに再同調する(たとえば、UEの受信機を再同調させる)ことなしに周波数追跡ループを同調させるためにウェイクアップすることができる。
【００８２】
本開示の態様によれば、(上述のような)任意のページング機会、RAR送信、またはSC-PTM送信の周りの期間(たとえば、サブフレーム)は、ページング機会、RAR送信、またはSC-PTM送信の開始前にM個のサブフレームを含むように(たとえば、UEまたはBSによって)決定されることがあり、ここで、Mは狭帯域送信パラメータであり得る。MはSIBにおいてMの指示を受信することによってUEによって決定され得るか、または、UEがネットワーク通信規格に基づいてMを決定し得る。BSは、ネットワーク通信規格に基づいてMを決定し得る。ページング機会の前のNRSの存在を仮定するUEは、UEが、ページを検出することおよび/またはBSから他の通信を受信することを仮定する前に、測定を実行すること、チャネル推定を開始すること、時間追跡を開始すること、および/または周波数追跡を開始することを可能にし得る。
【００８３】
本開示の態様によれば、任意のページング機会、RAR送信、またはSC-PTM送信の周りの期間(たとえば、サブフレーム)は、最悪の(たとえば、最も長い)狭帯域物理ダウンリンク制御チャネル(NPDCCH)の繰返しの間に発生する時間期間を含むように決定されることがある。すなわち、(その間にUEがNRSを仮定し得るおよび/またはBSがNRSを送信し得る)任意のページング機会の周りの時間期間は、NPDCCHが(たとえば、BSによって)UEに送信され得るときのサブフレームのすべてを含み得る。ページング機会の周りのこの時間期間(たとえば、持続時間)はまた、NPDCCHの送信が延期され得る任意の無効DLサブフレームを含み得る。悪いカバレージ条件における(たとえば、大きいカバレージ拡張(CE)ロケーションにおける)UEは、NPDCCHの復号に成功するために、NPDCCHの多数(たとえば、2000)の繰返しを受信する必要がある場合がある。悪いカバレージ条件におけるUEはまた、測定(たとえば、周波数ドリフトまたは時間ドリフトの測定)を実行するために、多数(たとえば、2000)のNRSを受信および処理する必要がある場合がある。UEが悪いカバレージ条件になく、より少ない数の繰返しでNPDCCHを復号することができる場合でも、NRSを有するサブフレームの数が事前にUEに知られていることが望ましく、NPDCCHの繰返しの最悪の数(たとえば、サブフレームの数)に対応するようにNRSを有するサブフレームの数を設定することは、UEがNRSを含むサブフレームの数を知ることを可能にし得る。
【００８４】
本開示の態様によれば、任意のページング機会、RAR送信、またはSC-PTM送信の周りの期間(たとえば、サブフレーム)は、最悪の(たとえば、最も長い)NPDCCH候補の末尾の後にN個のサブフレームを含むように(たとえば、UEまたはBSによって)決定されることがあり、ここで、Nは狭帯域送信パラメータであり得る。NはSIBにおいてNの指示を受信することによってUEによって決定され得るか、または、UEがネットワーク通信規格に基づいてNを決定し得る。BSは、ネットワーク通信規格に基づいてNを決定し得る。UEによるNPDCCHの受信の直後に、受信UEは、UEに宛てられた何らかのNPDSCHがあるかどうかを知らないが、これは、UEがNPDCCHを復号し、NPDCCHがUEのためのNPDSCHをスケジュールしたかどうかを決定するのにいくらかの時間を要するからである。Nの値は、N個のサブフレームがこの処理遅延に対処するのに十分であるように(たとえば、BSによって)選択または決定され得る。BSによって(たとえば、非アンカーRBにおいて)スケジュールされたNPDSCHがある場合、BSはNPDSCH送信の間にNRSも送信する。
【００８５】
本開示の態様によれば、任意のページング機会、RAR送信、またはSC-PTM送信の周りの期間(たとえば、サブフレーム)は、UEのためのNPDSCH送信の末尾の後にX個のサブフレームを含むように(たとえば、UEまたはBSによって)決定されることがあり、ここで、Xは狭帯域送信パラメータであり得る。XはSIBにおいてXの指示を受信することによってUEによって決定され得るか、または、UEがネットワーク通信規格に基づいてXを決定し得る。BSは、ネットワーク通信規格に基づいてXを決定し得る。本開示のいくつかの態様では、NPDSCH送信の末尾の後のサブフレームにおいてNRSを送信することは必要ではないことがあり、Xはゼロに設定されてもよい。
【００８６】
図9は、本開示の態様による、例示的な送信タイムライン900、920、および940を示す。例示的な送信タイムラインは、ある期間にわたる非アンカーRBを介したBSからUEへの送信を示す。送信タイムラインの各々では、902においてページング機会(PO)が発生する。図9はPOが発生することを示しているが、本開示はそのように限定されず、RAR送信またはSC-PTM送信が発生するとき、BSおよびUEは同様の送信タイムラインに従って送信および/または受信し得る。
【００８７】
送信タイムライン900では、BSはNPDCCHまたはNPDSCHをUEに送信しない。図8を参照しながら上記で説明したように、BSは、PO902が発生することになるという情報に基づいて、あるいはPOの発生および1つまたは複数の狭帯域送信パラメータに基づいて、NRSを送信すると決定する。BSは、904におけるPOの前のM個のサブフレームにおいて、906における最も長いNPDCCH候補に相当する数のサブフレームにおいて、および908における最も長いNPDCCH候補の後のN個のサブフレームにおいて、NRSを送信すると決定する。前に説明したように、MおよびNは狭帯域送信パラメータである。BSは、ネットワーク通信規格を参照してMおよびNを決定し得る。
【００８８】
本開示の態様によれば、UEは、902におけるPOの発生に基づいて、904、906、および908における非アンカーPRB内のNRSの発生を決定し得る。図7を参照しながら上記で説明したように、UEは、PO902が発生することになるかまたは発生したと判断したことと、1つまたは複数の狭帯域送信パラメータとに基づいて、904におけるPOの前のM個のサブフレームにおいて、906における最も長いNPDCCH候補に相当する数のサブフレームにおいて、および908における最も長いNPDCCH候補の後のN個のサブフレームにおいて、非アンカーPRB内でNRSが発生すると決定する。次いで、UEは、図7を参照しながら上記で説明したように、NRSを処理し得る。
【００８９】
送信タイムライン920では、BSは、UEへのNPDSCHをスケジュールするNPDCCHをスケジュールすると決定する。BSは、NPDCCHおよびNPDSCHをUEに送信する。図8を参照しながら上記で説明したように、BSは、POが発生することになるという情報に基づいて、あるいは、POの発生に基づいて、NPDCCHおよびUEへのNPDSCHをスケジュールするとの決定に基づいて、かつ1つまたは複数の狭帯域送信パラメータに基づいて、NRSを送信すると決定する。BSは、922におけるPOの前のM個のサブフレームにおいて、924におけるNPDCCHの送信の間に、NPDCCHとNPDSCHとの間のスケジューリングギャップ926の間に、928におけるNPDSCHの間に、および930におけるNPDSCHの末尾の後のX個のサブフレームにおいて、NRSを送信すると決定する。スケジューリングギャップの長さおよびXは、前に説明したように、狭帯域送信パラメータであり得る。BSは、ネットワーク通信規格を参照してスケジューリングギャップの長さおよびXを決定し得る。
【００９０】
本開示の態様によれば、UEは、902におけるPOの発生と、POと同じRB内の別の送信とに基づいて、922、924、926、928、および930における非アンカーPRB内のNRSの発生を決定し得る。図7を参照しながら上記で説明したように、UEは、PO902が発生することになるかまたは発生したと判断したことと、1つまたは複数の狭帯域送信パラメータと、POと同じRB内のNPDCCH924とに基づいて、924におけるNPDCCHの送信の間に、NPDCCHとNPDSCHとの間のスケジューリングギャップ926の間に、928におけるNPDSCHの間に、および930におけるNPDSCHの末尾の後のX個のサブフレームにおいて、非アンカーPRB内でNRSが発生すると決定する。スケジューリングギャップの長さおよびXは、前に説明したように、UEがSIBに基づいてまたはネットワーク通信規格を参照して決定し得る狭帯域送信パラメータであり得る。次いで、UEは、図7を参照しながら上記で説明したように、NRSを処理し得る。
【００９１】
送信タイムライン940では、BSは、UEへのNPDSCHをスケジュールするNPDCCHをスケジュールすると決定する。BSは、NPDCCHおよびNPDSCHをUEに送信する。図8を参照しながら上記で説明したように、BSは、POが発生することになるという情報に基づいて、あるいは、POの発生、NPDCCHおよびUEへのNPDSCHをスケジュールするとの決定、ならびに1つまたは複数の狭帯域送信パラメータに基づいて、NRSを送信すると決定する。BSは、942におけるPOの前のM個のサブフレームにおいて、944におけるNPDCCHの送信の間に、NPDCCHとNPDSCH948との間のスケジューリングギャップ946の間に、および948におけるNPDSCHの間に、NRSを送信すると決定する。NPDCCH、スケジューリングギャップ、およびNPDSCHの長さは、Nを加えた最も長いNPDCCH候補よりも小さいので、BSは、NPDSCHの末尾の後のサブフレーム950の間にNRSを送信する。BSは、タイムライン900と同様に、最も長いNPDCCH候補に相当する総数のサブフレームにおいておよびN個の追加のサブフレームにおいてNRSを送信すると決定する。スケジューリングギャップの長さおよびNは、前に説明したように、狭帯域送信パラメータであり得る。BSは、ネットワーク通信規格を参照してスケジューリングギャップの長さおよびNを決定し得る。
【００９２】
本開示の態様によれば、UEは、902におけるPOの発生に基づいて、904、906、および908における非アンカーPRB内のNRSの発生を決定し得る。図7を参照しながら上記で説明したように、UEは、PO902が発生することになるかまたは発生したと判断したことと、1つまたは複数の狭帯域送信パラメータと、POと同じRB内のNPDCCH944とに基づいて、942におけるPOの前のM個のサブフレームにおいて、944におけるNPDCCHと同じサブフレームにおいて、NPDCCHとNPDSCH948との間のスケジューリングギャップ946の間に、および948におけるNPDSCHの間に、非アンカーPRB内でNRSが発生すると決定する。NPDCCH、スケジューリングギャップ、およびNPDSCHの長さは、Nを加えた最も長いNPDCCH候補よりも小さいので、UEも、NPDSCHの末尾の後のサブフレーム950の間にNRSが生じると決定する。次いで、UEは、図7を参照しながら上記で説明したように、NRSを処理し得る。
【００９３】
本開示の態様によれば、BSは、すべてのUEのためのすべてのページング機会、RAR送信、またはSC-PTM送信のためのNRSではなく、非アンカーPRB上で動作しているUEのためのページング機会、RAR送信、またはSC-PTM送信の周りのそれらの非アンカーPRB内のNRSを送信すると決定し得る。すなわち、BSは、複数の非アンカーPRBを使用する複数のUEをサポートすることができ、UEは、異なるスケジュールで異なるPO、RAR送信、またはSC-PTM送信を有し得る。BSは、特定の非アンカーPRB上で動作しているUEのPO、RAR送信、またはSC-PTM送信の周りの期間(たとえば、サブフレーム)の間に特定の非アンカーPRB上でNRSを送信し得るが、BSは、その他のUEのPO、RAR送信、またはSC-PTM送信の周りの非アンカーPRB上でNRSを送信しない。
【００９４】
本開示の態様によれば、UEは、UEに固有のPO、RAR送信、またはSC-PTM送信が特定の期間(たとえば、サブフレーム)の間に発生するかどうかに基づいて、非アンカーPRB内のNRSの発生を決定し得る。すなわち、UEは、複数のUEのPO、RAR送信、またはSC-PTM送信に関する情報を有し、サブフレームにおいてUEのためのPO、RAR送信、またはSC-PTM送信が発生するかどうかに基づいて、サブフレームにおける非アンカーPRB内でNRSが発生するかどうかを決定し得る。
【００９５】
本開示の態様によれば、BSは、BSが非アンカーPRB上で動作しているUEのためのNPDCCHをスケジュールしたかどうかに基づいて、それらの非アンカーPRB内のNRSを送信すると決定し得る。BSが非アンカーPRB上で動作しているUEにNPDCCHを送信すると決定しておらず、UEをページングしない場合、BSは非アンカーPRB内のNRSを送信しないことになる。
【００９６】
本開示の態様によれば、UEは、UEが非アンカーPRB上のUEに宛てられたNPDCCHを検出するかどうかに基づいて、それらの非アンカーPRB内のNRSの発生を決定し得る。UEが非アンカーPRB上のUEへのNPDCCHを検出しない場合、UEは非アンカーPRB内のNRSを処理することを試みないことになる。
【００９７】
本開示の態様によれば、BSが同様にNRSを送信すると決定してもよく、UEが、ランダムアクセス応答(RAR)が送信されるキャリア上のNRSの発生を決定してもよい。
【００９８】
本開示の態様によれば、BSは、1つもしくは複数の狭帯域物理ランダムアクセスチャネル(NPRACH)リソースの末尾の周りの、またはランダムアクセス応答(RAR)ウィンドウの発生の周りの期間において非アンカーPRB内のNRSを送信すると決定し得る。BS(たとえば、eNB)は、BSがNPRACHを検出するかどうかにかかわらずNRSを送信してもよく、その結果、eNBがNPRACHを検出するのに失敗し、NPRACHを送信したUEがランダムアクセス応答(RAR)およびNRSを監視しているときでも、BSはUEが使用するためのNRSを送信する。
【００９９】
本開示の態様によれば、BSは、BSがUEからのNPRACH信号を検出する1つもしくは複数の狭帯域物理ランダムアクセスチャネル(NPRACH)リソースの末尾の周りの、またはランダムアクセス応答(RAR)ウィンドウの発生の周りの期間において非アンカーPRB内のNRSを送信すると決定し得る。BS(たとえば、eNB)は、BSがNPRACHを検出するときにNRSを送信してもよく、その結果、BSは、NPRACHを送信済みでありランダムアクセス応答(RAR)およびNRSを監視しているUEが使用するためのNRSを送信する。
【０１００】
本開示の態様によれば、BSは、BSが非アンカーPRB内のNPDCCHを送信すると決定する場合、BSがUEからのNPRACH信号を検出する1つもしくは複数の狭帯域物理ランダムアクセスチャネル(NPRACH)リソースの末尾の周りの、またはランダムアクセス応答(RAR)ウィンドウの発生の周りの期間において非アンカーPRB内のNRSを送信すると決定し得る。BS(たとえば、eNB)は、BSがNPRACHを検出し、NPRACHを送信したUEへの送信をスケジュールすると決定するとき、NRSを送信してもよく、その結果、BSは、BSが送信をスケジュールしている先のUEが使用するためのNRSを送信する。
【０１０１】
本開示の態様では、NPDCCHビットマップおよび/またはNPDSCHビットマップを(たとえば、BSによって)送信するための有効ダウンリンクサブフレームは、ページング機会およびRARメッセージ用の非アンカーキャリア(たとえば、非アンカーRBのためのキャリア周波数)のためのSIB-NBにおいてシグナリングされる。
【０１０２】
本開示の態様によれば、UEは、RAR監視(たとえば、RACHを送信した後の応答メッセージの監視)のために、NRSが帯域内(たとえば、非アンカーRB上の)RARメッセージ用のフレームのサブフレーム0、4、および9に存在すると仮定し得る。同様に、BSは、帯域内RACHメッセージを受信した後のフレームのサブフレーム0、4、および9においてNRSを送信し得る。
【０１０３】
本開示の態様では、UEは、RAR監視のために、NRSがスタンドアロンまたはガード帯域RARメッセージ用のフレームのサブフレーム0、1、3、4、および9に存在すると仮定し得る。同様に、BSは、スタンドアロンまたはガード帯域RACHメッセージを受信した後のフレームのサブフレーム0、1、3、4、および9においてNRSを送信し得る。
【０１０４】
本開示の態様によれば、UEは、RAR監視のために、RARウィンドウ内の各タイプ2共通探索空間(CSS)の先頭の前の10個の有効DLサブフレーム、RARウィンドウ内の各タイプ2 CSSの末尾の後の4個の有効DLサブフレーム、RARメッセージを搬送するNPDSCHの第1のサブフレームの前の4個の有効DLサブフレーム、およびRARメッセージを搬送するNPDSCHの後の4個の有効DLサブフレームについてNRSが存在すると仮定し得る。同様に、BSは、RARウィンドウ内のタイプ2 CSSの先頭の直前の10個の有効DLサブフレーム、RARウィンドウ内の各タイプCSSの末尾の後の4個の有効DLサブフレーム、RARメッセージを搬送するNPDSCHの第1のサブフレームの前の4個の有効DLサブフレーム、およびRARメッセージを搬送するNPDSCHの後の4個の有効DLサブフレームにおいてNRSを送信し得る。
【０１０５】
本開示の態様では、UEは、タイプ1 CSSの第1のサブフレームの前の10個の有効サブフレームからの、UEがページング無線ネットワーク一時識別子(P-RNTI)によってスクランブルされたDCIを見出すNPDCCH候補における、およびNPDCCHの後の4個の有効サブフレームにおける、非アンカーキャリア(たとえば、非アンカーRBのキャリア)上にNRSが存在すると仮定し得る。同様に、BSは、タイプ1 CSSの先頭の前の10個の有効サブフレームのための、BSがP-RNTIでスクランブルするNPDCCH(たとえば、UEをページングするNPDCCH)の間の、およびタイプ1 CSSの後の4個の有効サブフレームにおける、非アンカーキャリア上でNRSを送信し得る。
【０１０６】
本開示の態様によれば、UEは、ページングメッセージを搬送するNPDSCHの第1のサブフレームの前の4個の有効サブフレームにおける、NPDSCHを搬送するサブフレームの間の、およびNPDSCHの後の4個の有効サブフレームにおける、非アンカーキャリア(たとえば、非アンカーRBのキャリア)上にNRSが存在すると仮定し得る。同様に、ページングメッセージを搬送するNPDSCHを送信するBSは、NPDSCHの第1のサブフレームの前の4個の有効サブフレームにおいて、NPDSCHを搬送するサブフレームの間に、およびNPDSCHの後の4個の有効サブフレームにおいて、NRSを送信し得る。
【０１０７】
本開示の態様では、UEは、タイプ1A CSSまたはタイプ2A CSSの第1のサブフレームの前の10個の有効サブフレームにおける非アンカーキャリア上にNRSが存在すると仮定し得る。加えて、UEは、タイプ1A CSSの末尾またはタイプ2A CSSの末尾の後の4個の有効サブフレームにおける非アンカーキャリア上にNRSが存在すると仮定し得る。同様に、タイプ1A CSSまたはタイプ2A CSSにおける検出のために非アンカーキャリア上で信号を送信するBSは、タイプ1A CSSまたはタイプ2A CSSの第1のサブフレームの前の10個の有効サブフレームにおいて、およびタイプ1A CSSまたはタイプ2A CSSの後の4個の有効サブフレームにおいて、NRSを送信し得る。
【０１０８】
本開示の態様によれば、UEは、シングルセルマルチキャスト制御チャネル(SC-MCCH)またはシングルセルマルチキャストトランスポートチャネル(SC-MTCH)(たとえば、SC-PTM送信)を搬送するNPDSCHの前の4個の有効サブフレームにおける、およびそのNPDSCHの後の4個の有効サブフレームにおける非アンカーキャリア上にNRSが存在すると仮定し得る。同様に、非アンカーサブキャリア上でSC-MCCHまたはSC-MTCHを搬送するNPDSCHを送信する基地局は、NPDSCHの前の4個の有効サブフレームにおける、およびNPDSCHの後の4個の有効サブフレームにおける非アンカーサブキャリア上でNRSを送信し得る。
【０１０９】
本明細書で使用する場合、項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または、a、b、およびcの任意の他の順序)を包含するものとする。
【０１１０】
本明細書の本開示に関して説明する方法またはアルゴリズムのステップは、直接ハードウェアにおいて、プロセッサによって実行されるソフトウェア/ファームウェアモジュールにおいて、またはその2つの組合せにおいて具現化され得る。ソフトウェア/ファームウェアモジュールは、RAMメモリ、フラッシュメモリ、ROMメモリ、EPROMメモリ、EEPROMメモリ、PCM(相変化メモリ)、レジスタ、ハードディスク、リムーバブルディスク、CD-ROMまたは当技術分野で知られている任意の他の形態の記憶媒体の中に存在し得る。例示的な記憶媒体は、プロセッサが記憶媒体から情報を読み取り、および/または記憶媒体に情報を書き込むことができるように、プロセッサに結合される。代替として、記憶媒体は、プロセッサと一体化してもよい。プロセッサおよび記憶媒体は、特定用途向け集積回路(ASIC)の中に存在し得る。ASICは、ユーザ端末の中に存在し得る。代替として、プロセッサおよび記憶媒体は、個別構成要素としてユーザ端末の中に存在し得る。一般に、図に示す動作がある場合、それらの動作は、同様の番号を付された対応する同等のミーンズプラスファンクション構成要素を有し得る。
【０１１１】
たとえば、決定するための手段、処理するための手段、示すための手段、および/または含むための手段は、図2に示すBS110の送信プロセッサ220、TX MIMOプロセッサ230、および/もしくはコントローラ/プロセッサ240、ならびに/または、図2に示すユーザ機器120の送信プロセッサ264、TX MIMOプロセッサ266、および/もしくはコントローラ/プロセッサ280などの1つまたは複数のプロセッサを含み得る、処理システムを備え得る。送信するための手段および/または送るための手段は、図2に示すBS110の送信プロセッサ220、TX MIMOプロセッサ230、変調器232、コントローラ/プロセッサ240、および/もしくはアンテナ234、ならびに/または、図2に示すユーザ機器120の送信プロセッサ264、TX MIMOプロセッサ266、変調器254、コントローラ/プロセッサ280、および/もしくはアンテナ252を含み得る、送信機を備え得る。受信するための手段は、図2に示すUE120の受信プロセッサ258、MIMO検出器256、復調器254、コントローラ/プロセッサ280、および/もしくはアンテナ252、ならびに/または、図2に示す基地局110の受信プロセッサ238、MIMO検出器236、復調器232、コントローラ/プロセッサ240、および/もしくはアンテナ234を含み得る、受信機を備え得る。
【０１１２】
1つまたは複数の例示的な設計では、説明した機能は、ハードウェア、ソフトウェア/ファームウェア、またはそれらの組合せにおいて実装され得る。ハードウェアにおいて実装される場合、機能は、限定はしないが、送信機回路、受信機回路、トランシーバ回路、および/またはマルチプロセッサ回路を含む、1つまたは複数の回路において実装され得る。ソフトウェア/ファームウェアにおいて実装される場合、機能は、1つまたは複数の命令またはコードとしてコンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、あるいは、命令またはデータ構造の形態の所望のプログラムコード手段を搬送または記憶するために使用され得、汎用コンピュータもしくは専用コンピュータ、または汎用プロセッサもしくは専用プロセッサによってアクセスされ得る任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディス
ク(disc)は、レーザーを用いてデータを光学的に再生する。上記の組合せもコンピュータ可読媒体の範囲内に含まれるべきである。
【０１１３】
本開示の前述の説明は、いかなる当業者も本開示を作成または使用できるようにするために提供される。本開示の様々な修正は当業者に容易に明らかになり、本明細書で定義する一般原理は、本開示の趣旨または範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【符号の説明】
【０１１４】
100  ワイヤレス通信ネットワーク
102a  マクロセル
102b  ピコセル
102c  フェムトセル
110  発展型ノードB(eNB)、BS/eNB、BS、eNB
110a  eNB、マクロeNB、eNodeB
110b  eNB
110c  eNB
110d  中継(局)eNB
120  UE
120a  UE
120b  UE
120c  UE
120d  UE
130  ネットワークコントローラ
212  データソース
220  送信プロセッサ
230  送信(TX)多入力多出力(MIMO)プロセッサ
232  MOD、DEMOD
232a〜232t  変調器(MOD)、変調器
234a〜234t  アンテナ
236  MIMO検出器
238  受信プロセッサ
239  データシンク
240  コントローラ/プロセッサ
242  メモリ
244  通信ユニット
246  スケジューラ
252a〜252r  アンテナ
254  DEMOD
254a〜254r  復調器(DEMOD)、復調器、MOD
256  MIMO検出器
258  受信プロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
300  フレーム構造
410  サブフレームフォーマット
420  サブフレームフォーマット
510  サブフレーム
520  サブフレーム
550  より広い帯域幅
552  サブフレーム
554  サブフレーム
560  第1の狭帯域領域、狭帯域領域
562  第2の狭帯域領域、狭帯域領域
600  マッピング
610  DLシステム帯域幅
612  DL狭帯域領域
614  DL狭帯域領域
616  DL狭帯域領域
618  DL狭帯域領域
650  ULシステム帯域幅
652  狭帯域領域
654  狭帯域領域
656  狭帯域領域
658  狭帯域領域
700  動作
800  動作
900  送信タイムライン、タイムライン
902  PO
920  送信タイムライン
924  NPDCCH
926  スケジューリングギャップ
940  送信タイムライン
944  NPDCCH
946  スケジューリングギャップ
948  NPDSCH
950  サブフレーム
【図１】
2019537354.tif 000003
【図２】
2019537354.tif 000004
【図３】
2019537354.tif 000005
【図４】
2019537354.tif 000006
【図５Ａ】
2019537354.tif 000007
【図５Ｂ】
2019537354.tif 000008
【図６】
2019537354.tif 000009
【図７】
2019537354.tif 000010
【図８】
2019537354.tif 000011
【図９】
2019537354.tif 000012
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
ユーザ機器(UE)によるワイヤレス通信のための方法であって、
ランダムアクセス応答(RAR)送信、またはシングルセルポイントツーマルチポイント(SC-PTM)送信のための開始サブフレームが発生することになるかまたは発生したと判断するステップと、
前記判断、
1つまたは複数の狭帯域送信パラメータ、あるいは
前記RAR送信または前記SC-PTM送信と同じRB内の、前記RAR送信または前記SC-PTM送信以外の1つまたは複数の第1の送信の存在
のうちの少なくとも1つに基づいて、非アンカーリソースブロック(RB)内の狭帯域基準信号(NRS)の発生を決定するステップと、
前記NRSを処理するステップと
備える方法。
【請求項２】
前記狭帯域送信パラメータが、ページング機会(PO)、前記RAR送信、または前記SC-PTM送信の前にNRSを送信するための、サブフレームの最小数Mを備え、前記方法が、
前記PO、前記RAR送信、または前記SC-PTM送信の前に、少なくともM個のサブフレームにおいて前記NRSを処理するステップ
をさらに備える、請求項1に記載の方法。
【請求項３】
前記第1の送信が、狭帯域物理ダウンリンク制御チャネル(NPDCCH)を備え、前記方法が、
前記NRSが前記非アンカーRB内に存在しないと判断するステップと、
前記NRSが前記非アンカーRB内に存在しないとの前記判断に基づいて、前記NPDCCHがページング機会(PO)、前記RAR送信、または前記SC-PTM送信の後の1つまたは複数のサブフレーム内に存在しないと決定するステップと
をさらに備える、請求項1に記載の方法。
【請求項４】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記方法が、
ページング機会(PO)、前記RAR送信、または前記SC-PTM送信の後に、少なくともN個のサブフレームを加えた前記長さにおいて前記NRSを処理するステップ
をさらに備える、請求項1に記載の方法。
【請求項５】
前記第1の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
ページング機会(PO)、前記RAR送信、または前記SC-PTM送信の後に、前記非アンカーRBが、ある数のサブフレームにおいて発生し、前記数が、
前記NPDCCHの持続時間、
前記スケジューリングギャップの前記持続時間、
前記NPDSCHの持続時間、および
X
の合計よりも少ないかまたはそれに等しく、
前記方法が、
前記NPDCCHの前記持続時間、前記スケジューリングギャップの前記持続時間、前記NPDSCHの前記持続時間、およびXを決定するステップと、
前記NPDSCHの末尾の後に、前記NPDCCHの前記持続時間、前記スケジューリングギャップの前記持続時間、前記NPDSCHの前記持続時間、およびX個のサブフレームを備える期間の間に前記NRSを処理するステップと
をさらに備える、請求項1に記載の方法。
【請求項６】
前記NPDCCHが、前記NPDSCHのための送信リソースの割振りを示し、前記NPDSCHが、ランダムアクセス応答(RAR)メッセージを備え、前記方法が、
前記NPDCCHを受信するステップと、
前記割振りされた送信リソースを介して前記NPDSCHを受信するステップと、
前記NPDSCHから前記RARメッセージを取得するステップと
をさらに備える、請求項5に記載の方法。
【請求項７】
基地局(BS)によるワイヤレス通信のための方法であって、
ランダムアクセス応答(RAR)送信、またはシングルセルポイントツーマルチポイント(SC-PTM)送信のための開始サブフレームが発生することになるかまたは発生したと判断するステップと、
前記RAR送信または前記SC-PTM送信と同じリソースブロック(RB)において、ユーザ機器(UE)への1つまたは複数の第1の送信をスケジュールするかどうかを決定するステップと、
前記判断、
1つまたは複数の狭帯域送信パラメータ、あるいは
前記RAR送信または前記SC-PTM送信と前記同じRBにおいて、前記UEへの前記1つまたは複数の第1の送信をスケジュールするかどうかの前記決定
のうちの少なくとも1つに基づいて、非アンカーリソースブロック(RB)内の狭帯域基準信号(NRS)を送信すると決定するステップと、
前記非アンカーRB内の前記NRSを送信するステップと
を備える方法。
【請求項８】
前記狭帯域送信パラメータが、ページング機会(PO)、前記RAR送信、または前記SC-PTM送信の前にNRSを送信するための、サブフレームの最小数Mを備え、前記方法が、
前記PO、前記RAR送信、または前記SC-PTM送信の前に、M個のサブフレームにおいて前記NRSを送信するステップ
をさらに備える、請求項7に記載の方法。
【請求項９】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記方法が、
ページング機会(PO)、前記RAR送信、または前記SC-PTM送信の後に、N個のサブフレームを加えた前記長さにおいてNRSを送信するステップ
をさらに備える、請求項7に記載の方法。
【請求項１０】
前記1つまたは複数の第1の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
前記方法が、
ページング機会(PO)、前記RAR送信、または前記SC-PTM送信の後に、ある数のサブフレームにおいてNRSを送信するステップであって、前記数が、
前記NPDCCHの持続時間、
前記スケジューリングギャップの前記持続時間、
前記NPDSCHの持続時間、および
X
の合計よりも大きいかまたはそれに等しい、ステップ
をさらに備える、請求項7に記載の方法。
【請求項１１】
前記NPDCCHが、前記NPDSCHのための送信リソースの割振りを示し、前記方法が、
前記NPDCCHを送信するステップと、
前記NPDSCHの一部分を生成するためにランダムアクセス応答(RAR)メッセージを符号化するステップと、
前記割振りされた送信リソースを介して前記NPDSCHを送信するステップと
をさらに備える、請求項10に記載の方法。
【請求項１２】
前記UEへの前記1つまたは複数の送信が、狭帯域物理ダウンリンク制御チャネル(NPDCCH)を備え、前記方法が、
ページング機会(PO)、前記RAR送信、または前記SC-PTM送信の後に、1つまたは複数のサブフレームにおいて前記NPDCCHを送信するステップと、
前記NPDCCHを送信するために使用される前記1つまたは複数のサブフレームの各々においてNRSを送信するステップと
をさらに備える、請求項7に記載の方法。
【請求項１３】
前記NPDCCHが、狭帯域物理ダウンリンク共有チャネル(NPDSCH)のための送信リソースの割振りを示し、前記方法が、
前記NPDCCHの後に、1つまたは複数のサブフレームにおいて前記割振りされた送信リソースを介して前記NPDSCHを送信するステップと、
前記NPDCCHを送信することと前記NPDSCHを送信することとの間の1つまたは複数のサブフレームの各々においてNRSを送信するステップと、
前記NPDSCHを送信するために使用される前記1つまたは複数のサブフレームの各々においてNRSを送信するステップと
をさらに備える、請求項12に記載の方法。
【請求項１４】
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定するステップと、
ページング機会(PO)、前記RAR送信、または前記SC-PTM送信の後に、ある数のサブフレームにおいてNRSを送信するステップであって、前記数が前記第2の合計に等しい、ステップと
をさらに備える、請求項13に記載の方法。
【請求項１５】
ワイヤレス通信のための装置であって、
プロセッサであって、
ランダムアクセス応答(RAR)送信、またはシングルセルポイントツーマルチポイント(SC-PTM)送信のための開始サブフレームが発生することになるかまたは発生したと判断し、
前記判断、
1つまたは複数の狭帯域送信パラメータ、あるいは
前記RAR送信または前記SC-PTM送信と同じRB内の、前記RAR送信または前記SC-PTM送信以外の1つまたは複数の第1の送信の存在
のうちの少なくとも1つに基づいて、非アンカーリソースブロック(RB)内の狭帯域基準信号(NRS)の発生を決定し、
前記NRSを処理する
ように構成されたプロセッサと、
前記プロセッサと結合されたメモリと
を備える装置。
【請求項１６】
前記狭帯域送信パラメータが、ページング機会(PO)、前記RAR送信、または前記SC-PTM送信の前にNRSを送信するための、サブフレームの最小数Mを備え、前記プロセッサが、
前記PO、前記RAR送信、または前記SC-PTM送信の前に、少なくともM個のサブフレームにおいて前記NRSを処理する
ようにさらに構成される、請求項15に記載の装置。
【請求項１７】
前記第1の送信が、狭帯域物理ダウンリンク制御チャネル(NPDCCH)を備え、前記プロセッサが、
前記NRSが前記非アンカーRB内に存在しないと判断し、
前記NRSが前記非アンカーRB内に存在しないとの前記判断に基づいて、前記NPDCCHがページング機会(PO)、前記RAR送信、または前記SC-PTM送信の後の1つまたは複数のサブフレーム内に存在しないと決定する
ようにさらに構成される、請求項15に記載の装置。
【請求項１８】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記プロセッサが、
ページング機会(PO)、前記RAR送信、または前記SC-PTM送信の後に、少なくともN個のサブフレームを加えた前記長さにおいて前記NRSを処理する
ようにさらに構成される、請求項15に記載の装置。
【請求項１９】
前記第1の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの持続時間およびサブフレームの最小数Xを備え、
ページング機会(PO)、前記RAR送信、または前記SC-PTM送信の後に、前記非アンカーRBが、ある数のサブフレームにおいて発生し、前記数が、
前記NPDCCHの持続時間、
前記スケジューリングギャップの前記持続時間、
前記NPDSCHの持続時間、および
X
の合計よりも少ないかまたはそれに等しく、
前記プロセッサが、
前記NPDCCHの前記持続時間、前記スケジューリングギャップの前記持続時間、前記NPDSCHの前記持続時間、およびXを決定し、
前記NPDSCHの末尾の後に、前記NPDCCHの前記持続時間、前記スケジューリングギャップの前記持続時間、前記NPDSCHの前記持続時間、およびX個のサブフレームを備える期間の間に前記NRSを処理する
ようにさらに構成される、請求項15に記載の装置。
【請求項２０】
前記NPDCCHが、前記NPDSCHのための送信リソースの割振りを示し、前記NPDSCHが、ランダムアクセス応答(RAR)メッセージを備え、前記プロセッサが、
前記NPDCCHを受信し、
前記割振りされた送信リソースを介して前記NPDSCHを受信し、
前記NPDSCHから前記RARメッセージを取得する
ようにさらに構成される、請求項19に記載の装置。
【請求項２１】
ワイヤレス通信のための装置であって、
プロセッサであって、
ランダムアクセス応答(RAR)送信、またはシングルセルポイントツーマルチポイント(SC-PTM)送信のための開始サブフレームが発生することになるかまたは発生したと判断し、
前記RAR送信または前記SC-PTM送信と同じリソースブロック(RB)において、ユーザ機器(UE)への1つまたは複数の送信をスケジュールするかどうかを決定し、
前記判断、
1つまたは複数の狭帯域送信パラメータ、あるいは
前記RAR送信または前記SC-PTM送信と前記同じRBにおいて、前記UEへの前記1つまたは複数の送信をスケジュールするかどうかの前記決定
のうちの少なくとも1つに基づいて、非アンカーリソースブロック(RB)内の狭帯域基準信号(NRS)を送信すると決定し、
前記非アンカーRB内の前記NRSを送信する
ように構成されたプロセッサと、
前記プロセッサと結合されたメモリと
を備える装置。
【請求項２２】
前記狭帯域送信パラメータが、ページング機会(PO)、前記RAR送信、または前記SC-PTM送信の前にNRSを送信するための、サブフレームの最小数Mを備え、前記プロセッサが、
前記PO、前記RAR送信、または前記SC-PTM送信の前に、M個のサブフレームにおいてNRSを送信する
ようにさらに構成される、請求項21に記載の装置。
【請求項２３】
前記狭帯域送信パラメータが、最も長い狭帯域物理ダウンリンク制御チャネル(NPDCCH)候補の末尾の後にNRSを送信するための、前記最も長いNPDCCH候補の長さおよびサブフレームの最小数Nを備え、前記プロセッサが、
ページング機会(PO)、前記RAR送信、または前記SC-PTM送信の後に、N個のサブフレームを加えた前記長さにおいてNRSを送信する
ようにさらに構成される、請求項21に記載の装置。
【請求項２４】
前記1つまたは複数の第1の送信が、狭帯域物理ダウンリンク制御チャネル(NPDCCH)および狭帯域物理ダウンリンク共有チャネル(NPDSCH)を備え、
前記狭帯域送信パラメータが、前記NPDSCHの末尾の後にNRSを送信するための、スケジューリングギャップの長さおよびサブフレームの最小数Xを備え、
前記プロセッサが、
ページング機会(PO)、前記RAR送信、または前記SC-PTM送信の後に、ある数のサブフレームにおいてNRSを送信することであって、前記数が、
前記NPDCCHの長さ、
前記スケジューリングギャップの前記長さ、
前記NPDSCHの長さ、および
X
の合計よりも大きいかまたはそれに等しい、送信することを行うようにさらに構成される、請求項21に記載の装置。
【請求項２５】
前記NPDCCHが、前記NPDSCHのための送信リソースの割振りを示し、前記プロセッサが、
前記NPDCCHを送信し、
前記NPDSCHの一部分を生成するためにランダムアクセス応答(RAR)メッセージを符号化し、
前記割振りされた送信リソースを介して前記NPDSCHを送信する
ようにさらに構成される、請求項24に記載の装置。
【請求項２６】
前記UEへの前記1つまたは複数の送信が、狭帯域物理ダウンリンク制御チャネル(NPDCCH)を備え、前記プロセッサが、
ページング機会(PO)、前記RAR送信、または前記SC-PTM送信の後に、1つまたは複数のサブフレームにおいて前記NPDCCHを送信し、
前記NPDCCHを送信するために使用される前記1つまたは複数のサブフレームの各々においてNRSを送信する
ようにさらに構成される、請求項21に記載の装置。
【請求項２７】
前記NPDCCHが、狭帯域物理ダウンリンク共有チャネル(NPDSCH)のための送信リソースの割振りを示し、前記プロセッサが、
前記NPDCCHの後に、1つまたは複数のサブフレームにおいて前記割振りされた送信リソースを介して前記NPDSCHを送信し、
前記NPDCCHを送信することと前記NPDSCHを送信することとの間の1つまたは複数のサブフレームの各々においてNRSを送信し、
前記NPDSCHを送信するために使用される前記1つまたは複数のサブフレームの各々においてNRSを送信する
ようにさらに構成される、請求項26に記載の装置。
【請求項２８】
前記プロセッサが、
前記NPDCCHを送信するために使用される前記サブフレームの数と、前記NPDCCHおよび前記NPDSCHを送信することの間の前記サブフレームの数と、前記NPDSCHを送信するために使用される前記サブフレームの数との第1の合計が、最も長い狭帯域物理ダウンリンク制御チャネル(NPDCCH)候補の末尾の後にNRSを送信するための、前記最も長いNPDCCH候補の長さと、サブフレームの最小数Nとの第2の合計よりも小さいと決定することと、
前記PO、前記RAR送信、または前記SC-PTM送信の後に、ある数のサブフレームにおいてNRSを送信することであって、前記数が前記第2の合計に等しい、送信することと
を行うようにさらに構成される、請求項27に記載の装置。
【国際調査報告】
2019537354.tif 000013
2019537354.tif 000014